(57)【特許請求の範囲】
【請求項１】
開口の外周上縁にフランジ部分を備え、即席食品が収納される容器本体と、
開封用つまみを備え、前記フランジ部分にシールされ、前記容器本体の上面を密封する蓋と、
前記蓋の内面の一部に、前記即席食品の付属物として前記容器本体内に同封される袋体を収納する袋体ポケットと、
前記容器本体の中に収納された即席食品とを備え、
前記袋体ポケットが、蓋の裏面において前記開封用つまみの付近に取り付けられ、前記袋体ポケットの出入り口となる開口辺が前記蓋の外周辺側を向いていることを特徴とする容器入り即席食品製品。
【請求項２】
開口の外周上縁にフランジ部分を備え、即席食品が収納される容器本体と、
開封用つまみを備え、前記フランジ部分にシールされ、前記容器本体の上面を密封する蓋と、
前記蓋の内面の一部に設けられ、前記即席食品の付属物として前記容器本体内に同封される具材を前記即席食品とは分離した状態で湯戻しと湯切りの調理をするために収納する具材調理ポケットであって、前記容器本体内の空間と前記具材調理ポケット内の空間を導通させる一つ以上の湯切り口を備えた具材調理ポケットと、
前記容器本体の中に収納された即席食品とを備え、
前記具材調理ポケットの底面の高さおよび前記湯切り口が設けられている位置の高さが、前記即席食品を湯戻しするために前記容器本体に所定量の湯を注いだ状態において湯の喫水線より低く、前記具材調理ポケット内の具材にも前記湯が十分に浸水する、容器入り即席食品製品。
【発明の詳細な説明】
【技術分野】
【０００１】
この発明は容器入りの即席食品製品に関する。例えば、即席焼きそば、即席スパゲティ、即席ビーフン、即席ラーメン、即席スープ、即席中華食品などの即席食品を容器に収納した容器入り即席食品製品に関する。
【背景技術】
【０００２】
調理の過程で湯を注いで湯戻しする即席食品が広く普及している。
特に、調理の利便性を高めるために、容器本体と蓋からなる容器に乾燥した即席食品を収納した形で販売する、いわゆるカップ焼きそば、カップスパゲティ、カップ麺などがある。これら即席食品の調理過程において、容器本体に所要量の湯を注いで容器本体の中に収納されている即席食品を喫水させ、所要時間をかけて湯戻しする。
【０００３】
これら即席食品の調理過程では、湯戻しの後、湯切りを行なう。以下、カップ焼きそばを例に説明を続ける。
カップ入り焼きそばでは、スチロールなどの素材で作られた容器に、油揚げ乾燥麺などの乾燥麺と、液体状または乾燥粉末状のソース調味料を袋詰した調味料袋と、風味や食味の向上に寄与するための乾燥野菜や乾燥肉類などのかやく具材を袋詰したかやく具材袋と、紅生姜や青海苔などの薬味を袋詰した薬味袋などが収納されており、当該容器内に熱湯を注ぎ、湯戻しした後に熱湯を排出するだけで食することができる。
【０００４】
調理の過程は主に以下のようである。
第１の手順として、外装フィルムを破り、即席食品製品の蓋に設けられた開封用つまみをつまんで蓋の一部を開ける。
第２の手順として、利用者は自らの手で、容器の中に収められているソース調味料袋と、かやく具材袋と、薬味袋とを探して取り出す。
第３の手順として、ソース調味料袋と薬味袋は別途保管し、かやく具材袋を自らの手で開封し、かやく具材を容器本体内の乾燥焼きそば麺の上または下に散りばめる。
第４の手順として、容器本体の中に所要量の湯を注ぐ。例えば、容器本体の側面に、所要量の湯を注いだ場合の喫水線の目安となる線が付されており、調理者は当該線を目安として湯を注ぐ。容器本体に湯が所要量注がれると、乾燥やきそば麺と乾燥かやく具材は湯に喫水する。このように湯を注いだ後、蓋を閉めて湯戻しに必要な所要時間の経過を待つ。所要時間の経過により、乾燥麺と乾燥かやく具材は湯戻しされる。
【０００５】
第５の手順として、湯戻し後、既に不要となった湯を捨てるために排湯して湯切りを行なう。
従来の即席食品製品は、湯切りが簡単に行なえるように種々の工夫がなされている。
例えば、特開２００１−２４０１４９号公報や、特開２００２−１９３３４６号公報によれば、容器のフランジ部分に湯切り口が設けられている。
また、例えば、特開２０００−１０９１４１号公報によれば、蓋が二層構造を持っており、下層の一部に複数の湯切り口が設けられている構造をしており、上層に当たる部分を剥離して下層を剥き出しにすると、下層の湯切り口が現れる仕組みとなっている。
容器本体のフランジ付近に湯切り口が設けられる場合もありうる。いずれであっても蓋を容器本体に取り付けたまま容器を傾けて、湯切り口を内部の湯の喫水面より下にし、当該湯切り口を通じて容器内部の湯を捨てる。
【０００６】
第６の手順として、湯切り後、別途保管しておいたソース調味料袋を開封して液体状または粉末状のソースをふりかけ、箸などでソースを麺に馴染ませるようにかき混ぜる。
第７の手順として、薬味袋を開封して紅生姜や青海苔などの薬味を好みに応じて載せ、調理が終了する。
【０００７】
【特許文献１】特開２００１−２４０１４９号公報
【特許文献２】特開２００２−１９３３４６号公報
【特許文献３】特開２０００−１０９１４１号公報
【発明の開示】
【発明が解決しようとする課題】
【０００８】
まず、上記の従来の即席食品製品では、上記第５の手順の排湯において以下の問題を有していた。
特開２００１−２４０１４９号公報と特開２００２−１９３３４６号公報の技術によれば、設けられる湯切り口の数や大きさに制限が多く、排湯能力が小さいという問題がある。排湯能力を多くするために湯切り口の大きさを大きくすると細かい麺くずなどが湯切り口からこぼれ出ることとなる。
また、特開２００１−２４０１４９号公報と特開２００２−１９３３４６号公報の技術によれば、紙製の蓋の一部を切り取り、その切り取り断面と容器フランジとの隙間を湯切り口とするため、切り取りにより形成される断面の形状、大きさが一定せず、消費者の切り取り方によっては思わず大きな湯切り口が形成されたり、所定の大きさより小さい隙間しか開かない場合があり得る。
特開２０００−１０９１４１号公報の技術によれば、設けられる湯切り口の数の制限は緩和されている。
しかし、第１の問題として、湯切り口が容器本体の上面に多数個並べられているため、排湯の際、すべての湯切り口から勢い良く湯が飛び散るため、滝のように幅広く排湯が散らばるという問題がある。滝のように幅広く排湯が散らばるため、しぶきが手にかかる恐れもある。また、排湯は台所の流し台などで行なうが、滝のように幅広く排湯が散らばるため、流し台の排水溝などに排湯を集中することができない。
第２の問題として、フィルム、接着剤への負荷の問題がある。蓋が２層構造を持ち、湯切りは下層の薄く軟らかいフィルムを剥き出しにして湯切り口を露出して行なうが、湯切り口が設けられているフィルムの蓋が直接フランジに接着されており、湯や麺などの内容物による圧力は当該フランジ付近に集中し、当該圧力をフィルム材および接着剤により直接受け止めなければならない。また、湯切り口がフィルムの蓋に設けられているため、排湯が当該蓋の上を直接流れて行き、さらに接着個所の上を排湯が直接流れ落ちる。このようにフィルム材および接着剤への水流圧の負荷や熱負荷が大きい。
第３の問題として、湯切り後、蓋をはがしにくいという問題がある。湯切り口が薄く軟らかいフィルムに設けられており、直接熱湯を湯切りするので、フィルムが熱でさらに軟らかくなる。一方、フランジ部には強くシールされているため、蓋を引っ張ってはがす際、フィルムが露出した部分は軟らかく伸縮性が有りはがしにくい。強く引っ張った場合、一部のフィルム残滓がフランジ上に残る問題も発生する。
本発明の容器入り即席食品製品は上記問題の解決を図るものである。
【０００９】
次に、本発明の容器入り即席食品製品は以下の問題の解決も図る。
第１は、上記の従来の即席食品製品では、上記第２の手順において、かやく具材袋、調味料袋、薬味袋など袋体を取り出しにくいという問題である。従来においてそれら袋体は容器本体内の乾燥麺の上に無秩序に投入されているだけで、湯を容器本体に注ぐ前に、利用者が自らの手でそれら袋体を容器本体内から探して取り出す必要がある。上記特許文献１から３は、容器の上面が蓋材によりシールされ、湯戻し用の湯を注ぐために一時的に開ける上面開口は、例えば、蓋の１／３程度の面積であって、袋体が奥に隠れている場合が多い。他の部分は湯切りまでシールを維持しなければならない。つまり、従来の特許文献１から３の容器では、袋体を取り出す開口面積が小さく、奥から引き出して取り出す必要がある。これら作業は難しい場合がある。
【００１０】
第２は、上記の従来の即席食品製品では、麺と具材が混在した状態のままで湯戻しと湯切りを行なうという問題である。
具材混在湯切りの第１の不具合は、上記第５の手順において、湯切りの際の湯切り口へのかやく具材の目詰まりが発生する恐れがある。湯切りの湯の流れにかやく具材が流されて湯切り口に目詰まりする場合がある。野菜などかやく具材は大きい場合があり、湯切り口を塞いでしまう場合があり得る。
次に、具材混在湯切りの第２の不具合は、上記第６および第７の手順による調理後、かやく具材の量が少なく見えてしまうという問題である。食品会社が企業努力により、かやく具材の量を多くしたりかやく具材の種類内容を工夫しても、上記第６および第７の手順の調理後、かやく具材が容器本体の内部のあちこちに散乱している上、大量の麺の内部や下に大半のかやく具材が隠されてしまい、消費者にはかやく具材の量が少なく見えてしまう。このかやく具材量が少なく見えることは消費者の印象を悪くする。
次に、具材混在湯切りの第３の不具合は、上記第６および第７の手順による調理後、やきそばを喫食する際に、かやく具材が容器本体の底面または側面にへばりついている場合、消費者がそれらかやく具材を食べにくいという問題である。多数のかやく具材が容器本体の底面や側面にへばりついている状態であるので、消費者がやきそばを喫食する際にはそれらかやく具材を食べにくい。消費者がやきそば麺をほとんど喫食し終わった時点で容器本体の底面に多数のかやくがへばりついて残っているのを発見する場合も少なくない。
次に、具材混在湯切りの第４の不具合は、上記第６および第７の手順による調理後、容器内部でかやく具材が散らばっており、見栄えが悪いという問題がある。湯切り作業およびソース調味料の混ぜ合わせ作業の結果、かやく具材が容器側壁にへばりつくように散らばっていることは経験上良く見られる現象である。この見栄えの悪さは消費者の印象を悪くする。
【００１１】
本発明は、上記湯切りの問題を解決するため、湯切り能力を低減させることなく排湯の飛び散りを抑え、排湯流を集中させることができる容器入り即席食品製品を提供することを目的とする。
また、本発明は、上記紙材および接着剤への負荷の問題を解決するため、紙の蓋の接着位置を工夫し、紙材および接着剤に印加される麺や湯の圧力を低減し、かつ、排湯が接着個所の上を直接流れることのない容器入り即席食品製品を提供することを目的とする。
また、本発明は、上記袋体の収納個所の問題を解決するため、袋体が取り出しやすい容器入り即席食品製品を提供することを目的とする。
また、本発明は、上記具材混在湯切りの問題を解決するため、具材の調理空間を工夫することにより、湯切りの際に確実に具材を湯切り口から遠ざけて目詰まりを無くすとともに、湯切り作業やソース混ぜ合わせ作業を経ても具材が散らばらずに見栄え良く、隠れずに綺麗にかつ食べやすいように具材を盛り付けることができる容器入り即席食品製品を提供することを目的とする。
【課題を解決するための手段】
【００１２】
上記目的を達成するため、本発明の第１の容器入り即席食品製品は、
開口の外周上縁にフランジ部分を備え、即席食品が収納される容器本体と、
前記容器本体の一部に設けられた小空間である湯切りポケットであって、前記容器本体内の空間と前記湯切りポケット内の空間とを導通させる一つ以上の湯切り口を備えた湯切りポケットと、
開封用つまみと排湯口開口用つまみを備え、前記フランジ部分および前記湯切りポケットの上縁部分にシールされ、前記容器本体の上面および前記湯切りポケットの上面を密封する蓋と、
前記容器本体の中に収納された即席食品とを備え、
前記蓋の排湯口開口用つまみをつまんで蓋の一部を開けることにより前記湯切りポケットの上面が開口し、
湯切りの際、排湯が前記容器本体空間から前記湯切り口を通して前記湯切りポケット内に入り、前記湯切りポケット空間により緩衝されて外部に排出される、容器入り即席食品製品である。
なお、湯切りポケットは排湯のバッファとなるので、湯切りポケットの深さや大きさは、個々の湯切り口の大きさに比べて十分に大きいものとする。
また、前記湯切りポケットの上縁が前記フランジ部分の高さと略同一でその両端が前記フランジ部分とつながっており、前記蓋の排湯口開口用つまみをつまんで蓋の一部を切り取った状態において、前記湯切りポケットの上面が開口し、残りの蓋による前記湯切りポケットの上縁へのシールが維持されていることが好ましい。
また、前記蓋において、前記排湯口開口用つまみ近傍の外周端を起点として、前記湯切りポケットの上縁をシールしている個所に沿って蓋の一部が剥離するように切れ目を設けることが好ましい。
【００１３】
上記構成により、湯切り時に、湯切りポケット付近において、湯切りポケット空間以外の容器本体上面がしっかり密封されているので、湯切り作業を行いやすくなる。
また、湯切りポケットの仕切り板の側面に湯切り口を設ける構成であるので、湯切り口の数や大きさや位置の制限を緩和して湯切り能力を向上させることができる。また、湯切り口の位置が仕切り板の側面にあるので、フランジ部分の高さより低い位置にあるので、湯切り時の水圧が大きく、湯切り圧力が高くなる。そのため、特開２０００−１０９１４１号公報の技術に比べ、本発明の方が湯切り能力、排湯能力が高い。
さらに、湯切りポケット空間が排湯のバッファとなり、複数の湯切り口から出た排湯が外に直接飛び散ることがなく、排湯流を集中させて外に導くことができる。
また、湯切りの際、排湯が湯切りポケットの仕切り板から湯切りポケット内に入り、蓋材とのシール個所上を通過することなく湯切りポケットから直接外部に排出されるので、熱湯を湯切りしても蓋材には影響が小さく、接着個所への直接の熱負荷、水流圧負荷もかかることがない。
また、本願は特開２０００−１０９１４１号公報のように蓋を２重構造とする必要がなく、湯切り口が蓋材には設けられていないので、熱湯を湯切りしても蓋材には影響がなく、湯切り後、紙材などの蓋を簡単にはがずことができる。
【００１４】
上記目的を達成するため、本発明の第２の容器入り即席食品製品は、
開口の外周上縁にフランジ部分を備え、即席食品が収納される容器本体と、
前記容器本体の上面開口の一部を塞ぐ湯切り板であって、前記フランジ部分の高さと略同一で、内縁と外縁を持ち、前記外縁において前記フランジ部分につながる湯切り板と、
前記湯切り板に設けられ、容器本体内の空間と外空間とを導通させる一つ以上の湯切り口と、
開封用つまみと排湯口開口用つまみを備え、前記フランジ部分および前記湯切り板の内縁にシールされ、前記容器本体の上面および前記湯切り口を密封する蓋と、
前記容器本体の中に収納された即席食品とを備え、
前記蓋の排湯口開口用つまみをつまんで蓋の一部を剥離することにより、前記湯切り口が開口し、残りの蓋による前記湯切り板の内縁へのシールが維持されて前記容器本体の上面開口の密封が維持され、
湯切りの際、排湯が前記湯切り板から外部に排出される、容器入り即席食品製品である。
上記構成により、即席食品と湯の圧力が強く印加されるフランジ付近において、湯切り板が設けられており、構造的強度が強く、かつ、湯切り口は湯切り板上に設けられているので、湯切りの際、蓋と湯切り板の接着個所より湯切り口の方が低い位置にあり、当該接着個所の上を排湯が直接流れ落ちることがない。また、湯切り口は湯切り板上に自由に設けることができ、湯切り口の数や大きさや位置の制限は緩和されているので湯切り能力の向上が図られている。
【００１５】
次に、本発明の第３の容器入り即席食品製品は、
開口の外周上縁にフランジ部分を備え、即席食品が収納される容器本体と、
開封用つまみを備え、前記フランジ部分にシールされ、前記容器本体の上面を密封する蓋と、
前記容器本体の一部に設けられ、前記即席食品の付属物として前記容器本体内に同封される袋体を収納する袋体ポケットと、
前記容器本体の中に収納された即席食品とを備え、
前記即席食品の湯戻し用の湯を注ぐために前記蓋の開封用つまみをつまんで蓋の一部を開封した場合に、前記袋体ポケットの上に位置している蓋部分が開封される、容器入り即席食品製品である。
上記構成により、開封つまみをつまんで蓋の一部を開封すれば、手元近くに袋体があり、すぐに袋体を取り出すことができ、従来のように袋体を探す手間、奥の方に落ち込んだ袋体を取り出す手間がなくなる。
なお、袋体ポケットに相当するものを蓋の内面に設けておく構成も可能である。蓋を開封すれば蓋の裏に袋体が取り付けられている構造でも簡単に袋体を取り出すことができるからである。
【００１６】
次に、本発明の第４の容器入り即席食品製品は、
開口の外周上縁にフランジ部分を備え、即席食品が収納される容器本体と、
開封用つまみを備え、前記フランジ部分にシールされ、前記容器本体の上面を密封する蓋と、
前記容器本体の一部に設けられ、前記即席食品の付属物として前記容器本体内に同封される具材を前記即席食品とは分離した状態で湯戻しと湯切りの調理をするために前記具材を収納する具材調理ポケットであって、前記容器本体内の空間と前記具材調理ポケット内の空間を導通させる一つ以上の湯切り口を備えた具材調理ポケットと、
前記容器本体の中に収納された即席食品とを備え、
前記具材調理ポケットの底面の高さおよび前記湯切り口が設けられている位置の高さが、前記即席食品を湯戻しするために前記容器本体に所定量の湯を注いだ状態において湯の喫水線より低く、前記具材調理ポケット内の具材にも前記湯が十分に浸水する、容器入り即席食品製品である。
上記構成により、即席食品の湯戻し作業、湯切り作業を通じて、付属の具材を即席食品本体とは別に分離した状態とすることができ、湯切り後に具材を即席食品本体にトッピングすることができ、見栄え良く、具材が隠れることなく綺麗に、かつ具材を食べやすく盛り付けることができる。
なお、具材調理ポケットに相当するものを蓋の内面に設けておく構成も可能である。
次に、本発明の即席食品製品は、上記のように各種ポケットを設ける構造の他、以下のように各種の取り付け体を設ける構造も可能である。
【００１７】
本発明の第５の容器入り即席食品製品は、
開口の外周上縁にフランジ部分を備え、即席食品が収納される容器本体と、
前記容器本体内に設けられた支持形状と、
前記容器本体の支持形状により支持される、着脱可能な取り付け体であって、前記容器本体の支持部により支持されている状態において湯切り用の湯切りポケット空間を形成し、前記容器本体内の空間と前記湯切りポケット内の空間とを導通させる一つ以上の湯切り口を備えた取り付け体と、
開封用つまみと排湯口開口用のつまみを備え、前記フランジ部分と前記取り付け体の少なくとも一部とにシールされ、前記容器本体および前記湯切りポケット空間の上面を密封する蓋と、
前記容器本体の中に収納された即席食品とを備え、
前記蓋の排湯口開口用つまみをつまんで蓋の一部を開けることにより前記湯切りポケット空間の上面が開口し、
湯切りの際、排湯が前記容器本体空間から前記湯切り口を通して前記湯切りポケット空間に入り、前記湯切りポケット空間により緩衝されて外部に排出される、容器入り即席食品製品である。
上記構成により、取り付け体に湯切り口を設けることにより湯切り口の数や大きさや位置の制限を緩和して湯切り能力を向上させ、かつ、取り付け体により仕切られた湯切りポケット空間が排湯のバッファとなり、複数の湯切り口から出た排湯が外に直接飛び散ることがなく、排湯流を集中させて外に導くことができる。
また、取り付け体は容器本体から簡単に取り外すことができるので、喫食前に取り付け体を取り外せば邪魔になることもない。
なお、前記取り付け体の上縁が前記フランジ部分の高さと略同一で、前記蓋の排湯口開口用つまみをつまんで蓋の一部を切り取った状態において、前記湯切りポケット空間の上面が開口し、残りの蓋による前記取り付け体の湯切りポケット空間を仕切っている上縁部分へのシールが維持され、前記湯切りポケット空間以外の前記容器本体上面の密封が維持されていることが好ましい。
上記構成により、湯切り時に、湯切りポケット空間以外の容器本体上面がしっかり密封されているので、湯切り作業を行いやすくなる。
また、前記蓋において、前記排湯口開口用つまみ近傍の外周端を起点として、前記取り付け体の前記湯切りポケット空間を仕切っている上縁部分をシールしている個所に沿って蓋の一部が剥離するように切れ目を設けることが好ましい。
上記構成により、湯切り時に、湯切りポケット空間の上面のみを確実に開封しやすくなる。
【００１８】
本発明の第６の容器入り即席食品製品は、
開口の外周上縁にフランジ部分を備え、即席食品が収納される容器本体と、
前記容器本体内に設けられた支持形状と、
前記容器本体の支持形状により支持される、着脱可能な取り付け体であって、前記容器本体の上面開口の一部を塞ぐ湯切り板を備え、当該湯切り板が前記フランジ部分の高さと略同一で内縁と外縁を持ち、前記支持形状に支持されている状態において前記湯切り板の外縁が前記フランジ部分と密着する取り付け体と、
前記湯切り板に設けられ、容器本体内の空間と外空間とを導通させる一つ以上の湯切り口と、
開封用つまみと排湯口開口用つまみを備え、前記フランジ部分および前記湯切り板の内縁にシールされ、前記容器本体の上面および前記湯切り口を密封する蓋と、
前記容器本体の中に収納された即席食品とを備え、
前記蓋の排湯口開口用つまみをつまんで蓋の一部を剥離することにより、前記湯切り口が開口し、残りの蓋による前記湯切り板の内縁へのシールが維持されて前記容器本体の上面開口の密封が維持され、
湯切りの際、排湯が前記湯切り板から外部に排出される、容器入り即席食品製品である。
上記構成により、即席食品と湯の圧力が強く印加されるフランジ付近において、湯切り板とフランジが密着しており構造的強度が強く、かつ、排湯が蓋と湯切り板の内縁との接着個所の上を直接流れ落ちることがない。また、湯切り口は取り付け体の湯切り板上に自由に設けることができ、湯切り口の数や大きさや位置の制限は緩和されているので湯切り能力の向上が図られている。
また、取り付け体は容器本体から簡単に取り外すことができるので、喫食前に取り付け体を取り外せば邪魔になることもない。
なお、前記蓋において、前記排湯口開口用つまみ近傍の外周端を起点として、前記取り付け体の湯切り板の内縁をシールしている個所に沿って蓋の一部が剥離するよう切れ目を設けることが好ましい。
上記構成により、湯切り時に、湯切りポケット空間の上面のみを確実に開封しやすくなる。
【００１９】
本発明の第７の容器入り即席食品製品は、
開口の外周上縁にフランジ部分を備え、即席食品が収納される容器本体と、
前記容器本体内に設けられた支持形状と、
前記容器本体の支持形状により支持される、着脱可能な取り付け体であって、前記容器本体の支持形状により支持されている状態において前記即席食品の付属物として前記容器本体内に同封される袋体を収納する袋体収納空間を形成する取り付け体と、
開封用つまみを備え、前記フランジ部分にシールされ、前記容器本体の上面を密封する蓋と、
前記容器本体の中に収納された即席食品とを備え、
前記即席食品の湯戻し用の湯を注ぐために前記蓋の開封用つまみをつまんで蓋の一部を開封した場合に、前記袋体収納空間の上に位置している蓋部分が開封される、容器入り即席食品製品である。
上記構成により、開封つまみをつまんで蓋の一部を開封すれば、手元近くに袋体があり、すぐに袋体を取り出すことができ、従来のように袋体を探す手間、奥の方に落ち込んだ袋体を取り出す手間がなくなる。
また、取り付け体は容器本体から簡単に取り外すことができるので、喫食前に取り付け体を取り外せば邪魔になることもない。
【００２０】
本発明の第８の容器入り即席食品製品は、
開口の外周上縁にフランジ部分を備え、即席食品が収納される容器本体と、
前記容器本体内に設けられた支持形状と、
前記容器本体の支持形状により支持される、着脱可能な取り付け体であって、前記即席食品の付属物として前記容器本体内に同封される具材を前記即席食品とは分離した状態で湯戻しと湯切りの調理をするために前記具材を収納する具材調理空間を形成する取り付け体と、
前記取り付け体に設けられ、前記容器本体内の空間と前記具材調理空間を導通させる一つ以上の湯切り口と、
開封用つまみを備え、前記フランジ部分にシールされ、前記容器本体の上面を密封する蓋と、
前記容器本体の中に収納された即席食品とを備え、
前記具材調理空間の底面の高さおよび前記湯切り口が設けられている位置の高さが、前記即席食品を湯戻しするために前記容器本体に所定量の湯を注いだ状態において湯の喫水線より低く、前記具材調理空間内の具材にも前記湯が十分に浸水する、容器入り即席食品製品である。
上記構成により、即席食品の湯戻し作業、湯切り作業を通じて、付属の具材を即席食品本体とは別に分離した状態とすることができ、湯切り後に具材を即席食品本体にトッピングすることができ、見栄え良く、具材が隠れることなく綺麗に、かつ具材を食べやすく盛り付けることができる。
ここで、取り付け体は湯切り作業の後、蓋を取り去り、容器本体からそのまま離脱させて取り出すことができるので、取り付け体ごと取り出しておき、ソース調味料との混ぜ合わせ作業終了後、最後に、取り付け体の具材調理空間から具材を取り出して最後にトッピングすることが可能となり、見栄え良く、具材が隠れることなく綺麗に、かつ具材を食べやすく盛り付けることができる。
【００２１】
ここで、容器本体内の支持形状による取り付け体の支持は、支持形状が嵌合形状であり、取り付け体を当該嵌合形状に対して嵌合できる嵌合体とする組み合わせ、支持形状が係止形状であり、取り付け体を当該係止形状に対して係止できる係止体とする組み合わせ、支持形状がフック受容形状であり、取り付け体を当該フック受容形状に対して引っ掛けられるフックとする組み合わせ、支持形状が螺合形状であり、取り付け体を当該螺合形状に対して螺合できる螺合体とする組み合わせなど、多様な態様、組み合わせが可能である。
本発明の容器入り即席食品製品は、上記本発明の第１の容器入り即席食品製品から第８の容器入り即席食品製品を組み合わせた容器入り即席食品製品とすることができることは言うまでもない。
例えば、湯切りポケット、袋体ポケット、具材調理ポケットを容器本体の内壁にそれぞれ独立に設けても良く、一つのポケット兼用することができる。例えば袋体ポケットと具材調理ポケットとして兼用するなどである。
また、一つの取り付け体上に湯切りポケット空間、袋体収納ポケット空間、具材調理ポケット空間を形成するものであっても良い。
また、湯切り口の大きさや形状は特に限定されない。湯切りの際、中身の即席食品が通過せず、排湯のみが通過するものであれば良い。例えば、楕円、四角形や六角形などの多角形、ハート型などの自由形、スリット状、メッシュ状など多様な形状、大きさが可能である。
【発明の効果】
【００２２】
本発明の容器入り即席食品製品によれば、湯切り口の数、形状、大きさなどの自由度が大きくなり、湯切り口に関する制限が緩和され、湯切り能力が向上する。湯切り口の位置をフランジ部分の高さより低い位置とすると湯切り時の水圧が大きく、湯切り圧力が高くなり、湯切り能力、排湯能力が高くなる。
また、湯切りポケット空間が排湯のバッファとなり、複数の湯切り口から出た排湯が外に直接飛び散ることがなく、排湯流を集中させて外に導くことができる。
また、湯切り口が蓋材には設けられていないので、熱湯を湯切りしても蓋材には影響がなく、湯切り後、紙材などの蓋を簡単にはがずことができる。
本発明の容器入り即席食品製品によれば、即席食品と湯の圧力が強く印加されるフランジ付近において、フランジと一体に湯切り板が設けられており、構造的強度が強く、かつ、排湯が蓋と湯切り板の内縁との接着個所の上を直接流れ落ちることがない。
本発明の容器入り即席食品製品によれば、袋体の収納場所を工夫することができ、湯戻し作業前に消費者が簡単に袋体を取り出すことができる。
本発明の容器入り即席食品製品によれば、具材の収納場所を工夫することができ、湯切りの際に、確実に具材を湯切り口から遠ざけて目詰まりを無くすとともに、具材が散らばらない。また、具材が容器本体の底面や側面に散乱させることなく、具材の全量を見栄え良く即席食品に添えて配置することができる。
【発明を実施するための最良の形態】
【００２３】
以下、図面を参照しつつ、本発明の容器入り即席食品製品の実施例を説明する。
なお、以下の図において、即席食品や具材などの図示は省略し、容器に関する構造を中心に示している。
【実施例１】
【００２４】
本発明の実施例１にかかる容器入り即席食品製品を示す。
実施例１の容器入り即席食品製品は、湯切りポケットを備えた容器入り即席食品製品である。
図１（Ａ）は実施例１の容器入り即席食品製品１００の蓋開封前の平面図の例、図１（Ｂ）は側面図の例を示す図である。この例では角形タイプの容器を用いた即席食品製品の例として説明するが、円形タイプの容器を用いた即席食品製品でも適用可能なことは言うまでもない。
【００２５】
蓋１０は紙、プラスチックフィルム、裏面にアルミニウム箔加工を施した紙またはプラスチックフィルムなど、特に素材は限定されないが、エコロジーを考慮した素材とすることが好ましい。
蓋１０は、開封用つまみ１１と排湯口開口用１２つまみを備え、フランジ部分２１および湯切りポケットの仕切り板３２の上縁部分３２２にシールされ、容器本体２０の上面および湯切りポケットの上面を密封するものである。外形は容器本体の上面開口を適切に密封できる形であれば特に制限されない。例えば、容器本体の上面開口に相似形でやや大きめとしてマージンを持つ外形とする。
図１の構成例では、蓋１０は、開封用つまみ１１、排湯口開口用つまみ１２、容器本体の上面を密封する第１の蓋部分１３、湯切りポケット上面を密封する第２の蓋部分１４、第１の蓋部分１３と第２の蓋部分１４とが剥離し易いように設けられている切れ目１５を備えている。切れ目１５は排湯口開口用つまみ１２近傍の外周端を起点として、湯切りポケットの仕切り板３２上縁３２２をシールしている個所に沿って第２の蓋部分１４が剥離するように設けられている。ここで、第２の蓋部分１４を剥離した状態において、残りの蓋の部分である第１の蓋部分１３の湯切りポケットの仕切り板の上縁３２２のシールが維持されるように工夫することが好ましい。
【００２６】
図２（Ａ）は実施例１の容器本体２０の平面図の例、図２（Ｂ）は実施例１の容器本体２０のＡ−Ａ線に沿った断面から湯切りポケット側を見た様子を示す断面図、図２（Ｃ）は実施例１の容器本体２０のＢ−Ｂに沿った断面図である。
即席食品や、調味料などの袋体は、図示していないが、容器本体２０の中に収められている。
容器本体２０は発泡性プラスチック、紙、裏面にアルミニウム箔加工を施した紙またはプラスチック素材など、特に素材は限定されないが、エコロジーを考慮した素材とすることが好ましい。
容器本体２０は即席食品を収納する器であり、湯戻し作業および湯切り作業も行なう。容器本体２０の大きさや形は特に制限されず、収納する即席食品の大きさや器としての形状に応じて製作する。
本実施例１の構成例では、容器本体２０は開口の外周上縁のフランジ部分２１、側壁２２、容器本体空間２３を備え、さらに、内面側壁の一部に湯切りポケット３０を備えている。
【００２７】
湯切りポケット３０は、湯戻しのため容器本体２０内に注がれた湯を湯切りする際に、容器本体空間２３から湯切り口を通して出てくる排湯を一時的に緩衝するバッファとして働く小空間を提供するものであり、排湯は湯切りポケット空間３１を介して外部に排出される。湯切りポケット３０は排湯のバッファとなるので、湯切りポケット３０の深さや大きさは、個々の湯切り口の大きさに比べて十分に大きいものとする。
湯切りポケットの仕切り板３２は容器本体２０を容器本体空間２３と湯切りポケット空間３１に仕切るものであり、この構成例では湯切りポケットの仕切り板３２の上縁３２２は容器本体のフランジ部分２１の高さと略同一で仕切り板３２の両端はフランジ部分２１とつながっている。
また、湯切りポケットの仕切り板３２は図２（Ｂ）に示すように、仕切り板３２の側面３２１には容器本体空間２３と湯切りポケット空間３１とを導通させる複数の湯切り口３３を備えている。本発明の即席食品製品の容器では、湯切り口は湯切りポケットの仕切り板３２上に自由に設けることができる。排湯能力は個々の湯切り口の大きさと数により決まるので適切な大きさと数とする。
個々の湯切り口３３の大きさは、湯切りする即席食品よりやや小さく、即席食品が通過せず、湯のみが通過する大きさとする。湯切り口の大きさは小さ過ぎると排湯能力が低下するので即席食品の大きさを考慮して適切な大きさとする。
湯切り口の数は、湯切りポケットの仕切り板３２上に多数設けておけば良く、排湯能力が向上する。
【００２８】
仕切り板３２の上縁３２２には第１の蓋部分１３と第２の蓋部分１４の切れ目１５があり、第２の蓋部分１４を取り去った後も第１の蓋部分１５のシールが維持される部分であるため、接着を確実とすべく、図２（Ｃ）に示すように上縁３２２の幅を広くする工夫が施されている。
なお、蓋において、排湯口開口用つまみ１２近傍の外周端を起点として、湯切りポケットの上縁３２２をシールしている個所に沿って第２の蓋部分１４が剥離するよう切れ目１５を設け、第２の蓋部分１４が第１の蓋部分１３から剥離し易いように以下の工夫を施すこともできる。
第１の工夫は、図３（Ａ）に示す工夫であり、仕切り板の上縁３２２上において、接着剤１６を介して接着している１つながりの蓋を、第１の蓋部分１３と第２の蓋部分１４の２つの蓋部分に分離しやすいように境界に点線などの切れ目１５を入れるものである。切れ目１５に沿って切断しやすくなり、第２の蓋部分１４のみを剥離しやすくなる。
第２の工夫は、図３（Ｂ）に示す工夫であり、第１の蓋部分１３と第２の蓋部分１４が、少なくとも、湯切りポケットの上縁３２２において重なり合っており、当該重なり合っている領域において、湯切りポケットの上縁３２２に第１の蓋部分１３がシールされ、当該第１の蓋部分１３の上に接着剤層と離型剤層が塗布され、その上に第２の蓋部分１４が積層され、排湯口開口用つまみ１２の近傍の外周端を起点として、第１の蓋部分１３と第２の蓋部分１４の重なり合う領域が設けられていることが好ましい。つまり、仕切り板の上縁３２２上において、接着剤１６を塗布して第１の蓋部分１３を接着し、その上に接着剤１６を塗布し、さらにその一部領域に離型材１７を塗布して第２の蓋部分１４を接着する。第２の蓋部分１４のうち、接着剤１６で第１の蓋部分１３に接着している部分は剥離しにくく、離型材１７を介して第１の蓋部分１３に接着している部分は剥離し易い。ここで、離型材１７を塗布した境界付近に切れ目（第２の蓋部分１４のみのハーフカット）を設けておくと第２の蓋部分１４が仕切り板の上縁３２２上において剥離しやすくなる仕組みとしたものである。
ここで、第２の蓋部分１４を切り取った状態において、残りの蓋である第１の蓋部分１３による湯切りポケットの上縁３２２へのシールが維持されていることが好ましい。この例では、湯切りポケットの上縁３２２の高さがフランジ部分２１の高さと略同一であり、かつ、湯切りポケットの仕切り板の両端がフランジ部分２１に一体につながっているので、第１の蓋部分１３の湯切りポケットの上縁３２２へのシールが維持されていることにより、湯切りポケット３０の上面のみが開口し、容器本体２０の上面のうち、湯切りポケット３０に近い付近は密封状態が保たれ、湯切り作業が行いやすくなり、湯切り作業を通じて容器本体２０から麺などの即席食品や湯が直接こぼれ出すことがなくなる。
【００２９】
本実施例１の容器入り即席食品製品１００の調理手順は以下のようになる。
まず、蓋の開封用つまみ１１をつまんで蓋の一部を開封する（図４（Ａ））。容器本体空間２３が開口する。その容器本体空間２３に湯を注ぐ。
再び、開封用つまみ１１をつまんで蓋を閉じる（図４（Ｂ））。
所定の時間の経過を待ち、湯戻しが終了すれば、湯切りを行なう。
まず、蓋の排湯口開口用つまみ１２をつまんで第２の蓋部分１４を剥離して除去する。第２の蓋部分１４を開封することにより湯切りポケットの上面が開口し、湯切りポケット空間３１が覗く（図５（Ａ））。
湯切りポケット３０を下側にして容器全体を傾けて排湯を行なう（図５（Ｂ））。排湯は容器本体空間２３から湯切りポケットの仕切り板３２の複数の湯切り口３３を通して湯切りポケット空間３１に入り、湯切りポケット空間３１で緩衝された後、湯切りポケットの上面開口から外部に注ぎ出る。複数の湯切り口３３から勢い良く湯切りされた湯が直接外に注ぎ出ることなく、一旦、湯切りポケット空間３１において緩衝された後、その出口、つまりここでは容器の角部分から集中して排湯流が整然と流れ出すこととなる。
その後、蓋１０を除去し、即席食品に対する残りの調理作業を行なう。
例えば、即席やきそばであれば調味料袋体からソースを取り出してやきそば麺と混ぜ合わせる。
例えば、麺の湯戻しと湯切りを行なう即席ラーメンであれば、スープ調理用の湯を注いで調味料袋体からスープの素を取り出して混ぜ合わせ、スープを作成する。
【００３０】
なお、上記構成例は角形タイプの容器を用いた例であるが、円形タイプの容器を用いた場合であっても湯切りポケット３０を同様に設けることができる。
本実施例１の容器入り即席食品製品によれば、容器本体の湯切りポケットの側壁に湯切り口を設けることにより湯切り口の数や大きさや位置の制限を緩和して湯切り能力を向上させることができ、かつ、湯切りポケット空間が排湯のバッファとなり、複数の湯切り口から出た排湯が外に直接飛び散ることがなく、排湯流を集中させつつ外に導くことができる。
【実施例２】
【００３１】
本発明の実施例２にかかる容器入り即席食品製品を示す。
実施例２の容器入り即席食品製品の容器は、実施例１に示した湯切りポケットを備えた容器の変形型であり、湯切りポケットの内部にさらに中仕切り板を備えたものである。なお、以下の構成例は角形タイプの容器の例であるが、円形タイプの容器であっても同様に適用することができる。
図６（Ａ）は実施例２の容器本体２０ａの平面図の例、図６（Ｂ）は実施例２の容器本体２０ａのＣ−Ｃに沿った断面から湯切りポケット３０ａ側を見た様子を示す断面図、図６（Ｃ）は実施例２の容器本体２０ａのＤ−Ｄに沿った断面図である。なお、実施例２の蓋開封前の容器入り即席食品製品１００ａの平面図の例および側面図の例は図１と同様で良く、その図示を省略する。
即席食品や、調味料などの袋体は、図示していないが、容器本体２０ａの中に収められている。
本実施例２の即席食品製品１００ａは、湯切りポケット３０ａ以外の構造については実施例１の即席食品製品１００と同様で良い。
【００３２】
湯切りポケット３０ａは、実施例１と同様、容器本体空間２３からの排湯を一時的に緩衝するバッファとして働く空間を提供するものであり、実施例２のものは、湯切りポケット空間の中に中仕切り板３５を備えている。
中仕切り板３５は、図６（Ｃ）に示すように湯切りポケット空間３１を第１の湯切りポケット空間３１１と第２の湯切りポケット空間３１２の２つの空間に分けるもので、中仕切り板３５には図６（Ａ）に示すように第１の湯切りポケット空間３１１と第２の湯切りポケット空間３１２とを導通させる複数の湯切り口３６を備えている。
容器本体内空間２３からの排湯は、湯切りポケット３０ａの仕切り板３２から湯切り口３３を通して第１の湯切りポケット空間３１１に入り、中仕切り板３５の湯切り口３６を通して第２の湯切りポケット空間３１２に入り、第１の湯切りポケット空間３１１と第２の湯切りポケット空間３１２を介して外部に排出されることとなる。
ここで、仕切り板３２の湯切り口３３の大きさと、中仕切り板３５の湯切り口３６の大きさについて工夫をすることができる。例えば、仕切り板３２の湯切り口３３の大きさを湯戻し後の即席食品の大きさよりやや小さいものとして通常の湯切りを行ない、中仕切り板３５の湯切り口３６の大きさをさらに小さいものとし、通常の湯切りによりこぼれ出た食品くずを捕捉する細湯切りを行なう。このように、通常湯切りと細湯切りの２段階の湯切りを行なうことにより、食品くずを確実に捕捉する能力を備えることとなる。なお、細湯切りを行なう湯切り口３６の大きさが小さくても、通常の湯切りが済んだ排湯の２度目の湯切りであるので、細湯切りは素早く行なわれ、湯切り能力の低下を招くことがない。
【００３３】
実施例２の容器入り即席食品製品１００ａの調理の手順は、以下のようになる。
蓋の開封、湯の注入、湯戻しは実施例１の図４と同様である。
湯切りは、まず、蓋の排湯口開口用つまみ１２をつまんで第２の蓋部分１４を剥離して除去する。第２の蓋部分１４を開封することにより湯切りポケットの上面が開口し、第２の湯切りポケット空間３１２が覗く（図７（Ａ））。実施例１と同様、残りの第１の蓋部分１３による湯切りポケットの上縁３２２へのシールは維持されることが好ましい。
湯切りポケット３０ａを下側にして容器全体を傾けて湯切りを行なう（図７（Ｂ））。排湯は容器本体空間２３から湯切りポケットの仕切り板３２の複数の湯切り口３３から第１の湯切りポケット空間３１１に入り、さらに、中仕切り板３５の湯切り口３６から第２の湯切りポケット空間３１２に入り、湯切りポケット３０ａの上面開口から外部に注ぎ出る。排湯は湯切りポケット空間３１１および第２の湯切りポケット空間３１２で緩衝されるので、勢い良く湯切りされた湯が直接注ぎ出ることなく、その出口、つまりここでは容器の角部分から集中して排湯流が整然と流れ出すこととなる。
本実施例２の容器入り即席食品製品によれば、湯切りは２段階にわたり行なわれるので細かい食品くずについても確実に捕捉することができ、食品くずを台所の流し台などに放流することはなくなる。
【実施例３】
【００３４】
本発明の実施例３にかかる容器入り即席食品製品を示す。
実施例３の容器入り即席食品製品は、フランジ部分の高さと略同一で容器本体の上面開口の一部を塞ぐ湯切り板を備えたものである。なお、以下の構成例は角形タイプの容器を用いた例であるが、円形タイプの容器を用いた場合であっても同様に適用することができる。
図８（Ａ）は実施例３の容器入り即席食品製品１００ｂの容器本体２０ｂの平面図の例、図８（Ｂ）は実施例３の容器本体２０ｂのＥ−Ｅに沿った断面から湯切り板４０側を見た様子を示す断面図、図８（Ｃ）は実施例３の容器本体２０ｂのＦ−Ｆに沿った断面図である。即席食品や、調味料などの袋体は、図示していないが、容器本体２０ｂの中に収められている。
なお、実施例３の蓋開封前の即席食品製品１００ｂの平面図の例および側面図の例は図１と同様で良く、その図示を省略する。
【００３５】
湯切り板４０は、その上面の高さがフランジ部分２１の高さと略同一で、容器本体２０ｂの上面開口の一部を塞ぐ形で設けられている。湯切り板４０は内縁４０２と外縁４０１を持ち、外縁４０１においてフランジ部分２１と一体につながっている（図８（Ａ）、図８（Ｂ）、図８（Ｃ））。
また、湯切り板４０には、容器本体空間２３と外部空間とを導通させる一つ以上の湯切り口４１が設けられている（図８（Ａ））。
実施例３の即席食品製品において、蓋１０は容器本体２０ｂおよび湯切り板４０の内縁４０２に接着されている。
【００３６】
図９は、蓋１０の容器本体２０ｂおよび湯切り板４０への接着範囲の一例を示す図である。黒く塗りつぶした部分が接着剤を塗布する範囲の一例である。この例では接着剤の塗布範囲はフランジ部分２１と湯切り板４０の内縁部分４０２となっている。この例では、湯切り板４０の全面には接着剤を塗布せず、湯切り口４１が設けられている範囲には接着剤を塗布しない。このように接着剤を塗布すると、第１の蓋部分１３についてはその周囲のみにぐるりと接着剤が塗布され、また、第２の蓋部分１４についてもその周囲のみにぐるりと接着剤が塗布されている状態となる。
ここで、第１の蓋部分１３と第２の蓋部分１４の切れ目１５が湯切り板４０の内縁部分４０２に沿って設けられていることが好ましい。ここで、第２の蓋部分１４が切れ目１５に沿って第１の蓋部分１３から剥離し易いようにする工夫は実施例１と同様に施すことができる。このように切れ目１５を設けておくことにより、切れ目１５に沿って第２の蓋部分１４を剥離すれば、第１の蓋部分１３について、その周囲の接着が維持されて第１の蓋部分１３による容器本体への密封が維持され、容器本体２０ｂの上面は湯切り板４０の湯切り口４１のみを介して外部と導通する状態となる。
【００３７】
実施例３の容器入り即席食品製品１００ｂの調理の手順は、以下のようになる。
蓋の開封、湯の注入、湯戻しは実施例１の図４と同様である。
湯切りは、まず、蓋の排湯口開口用つまみ１２をつまんで第２の蓋部分１４を剥離して除去する。第２の蓋部分１４を開封することにより、容器本体２０ｂの上面は湯切り板４０の湯切り口４１のみを介して外部と導通している状態となる（図１０（Ａ））。残りの第１の蓋部分１３による容器本体への密封が維持される。
次に、湯切り板４０を下側にして容器全体を傾けて湯切りを行なう（図１０（Ｂ））。排湯は容器本体空間２３から湯切り板４０の複数の湯切り口４１から外部に注ぎ出る。
【００３８】
ここで、湯切りの際、容器本体２０ｂ内部の即席食品および湯の圧力は、位置が低くなる程強くなるが、本実施例３の即席食品製品の容器では、位置が最も低く、圧力が最も強く印加されるフランジ付近において、湯切り板４０とフランジ部分２１が一体に成型されており、構造的強度が強くなっている。従来例のように蓋を直接フランジ部分２１に接着剤で接着する構造よりも本発明の即席食品製品の容器は強い構造となっている。
また、湯切りの際、湯切り口４１から流れ出た排湯は湯切り口４１から湯切り板４０上を流れ落ちるが、第１の蓋部分１３の接着個所である湯切り板の内縁４０２上を流れることはなく、湯切り板の内縁４０２の接着個所に対して上から排湯の熱負荷や水流圧力の負荷を与えることはない。また、湯切り板４０はしっかりした肉厚の構造体（例えば、発泡スチロールのような素材）であり、湯切り板の内縁４０２上の接着個所に対する下方からの熱や圧力の影響が湯切り板４０により遮断されている。従来技術のように排湯が蓋の上を直接流れ落ちる構成に比べ、本発明の即席食品製品の容器では湯切り板の内縁４０２における蓋の接着個所に対する排湯熱や水流圧力の影響が低減されている。
【実施例４】
【００３９】
本発明の実施例４にかかる容器入り即席食品製品を示す。
実施例４の即席食品製品は、実施例１に示した湯切りポケットと、実施例３に示した湯切り板の両方を組み合わせた構造を備えた例である。
図１１（Ａ）は実施例４の容器入り即席食品製品１００ｃの容器本体２０ｃの平面図の例、図１１（Ｂ）は実施例４の容器本体２０ｃのＧ−Ｇに沿った断面から湯切りポケット３０側を見た様子を示す断面図、図１１（Ｃ）は実施例４の容器本体２０ｃのＨ−Ｈに沿った断面図である。即席食品や、調味料などの袋体は、図示していないが、容器本体２０ｃの中に収められている。
なお、実施例４の蓋開封前の容器入り即席食品製品１００ｃの平面図の例および側面図の例は図１と同様で良く、その図示を省略する。
【００４０】
図１１の例では、湯切りポケット３０の上面に湯切り板４０が設けられている構造となっている。湯切りポケット３０の働きは実施例１に示した通りであり、湯切り板４０の働きは実施例３に示した通りである。なお、仕切り板３２の上縁３２２は同時に湯切り板４０の内縁４０２となっている。
蓋１０の容器本体２０ｃおよび湯切り板４０への接着範囲の一例は、実施例３に示した図９と同様で良い。湯切りポケット３０および湯切り板４０への第１の蓋部分１３の接着は、この仕切り板３２の上縁３２２でもあり湯切り板４０の内縁４０２でもある個所に接着されることとなる。
実施例４の容器入り即席食品製品では、湯切りの際、排湯は容器本体空間２３から湯切りポケットの仕切り板３２の湯切り口３３を通して湯切りポケット空間３１に入り、湯切りポケット空間３１から湯切り板４０の湯切り口４１を通して外部に放出される（図１２（Ａ）、図１２（Ｂ））。
実施例４の例でも二段階の湯切りが行なわれるので、実施例２で示したものと同様、湯切りポケットの仕切り板３２の湯切り口３３の大きさを即席食品よりやや小さめとして通常の湯切りを行い、湯切り板４０の湯切り口４１の大きさを小さくして細湯切りを行なうことができる。
【実施例５】
【００４１】
本発明の実施例５にかかる容器入り即席食品製品を示す。
実施例５の容器入り即席食品製品は、袋体ポケットを備えたものである。なお、以下の構成例は円形タイプの容器を用いた例であるが、角形タイプの容器を用いた場合であっても同様に適用することができる。
図１３（Ａ）は実施例５の蓋開封前の容器入り即席食品製品１００ｄの平面図の例、図１３（Ｂ）はその側面図の例を示す図である。
蓋１０は、開封用つまみ１１を備え、容器本体のフランジ部分２１にシールされ、容器本体２０ｄの上面を密封している。
図１４（Ａ）は実施例５の容器入り即席食品製品１００ｄの容器本体２０ｄの平面図の例、図１４（Ｂ）は実施例５の容器本体２０ｄのＩ−Ｉに沿った断面から袋体ポケット５０側を見た様子を示す断面図、図１４（Ｃ）は実施例５の容器本体２０ｄのＪ−Ｊに沿った断面図である。即席食品は、図示していないが、容器本体２０ｄの中に収められている。
【００４２】
本実施例５の容器入り即席食品製品は、容器本体２０ｄの内壁の一部に袋体ポケット５０を備えている。袋体ポケット５０は、即席食品の付属物として容器本体２０ｄ内に同封される袋体を収納するポケットである。例えば、具材などのかやく袋体、粉末スープやソースなどの調味料袋体、ごまや紅生姜などの薬味袋体など多様なものがある。これら袋体を消費者が取り出しやすいように提供するものである。袋体ポケットの大きさや付属の袋体を収納できる大きさとする。なお、袋体自体の図示は省略している。
ここで、袋体ポケット５０の位置を工夫し、開封用つまみ１１の付近に袋体ポケット５０を設置する。このように袋体ポケット５０の位置を工夫することにより、即席食品の湯戻し用の湯を注ぐために、蓋の開封用つまみ１１をつまんで蓋１０の一部を開封した場合に、袋体ポケット５０の上に位置している蓋部分が開封され、消費者の手元近くに袋体が見え、すぐに袋体を取り出すことができ、従来の即席食品製品のように袋体を探す手間や、奥の方に落ち込んだ袋体を取り出す手間が不要となる（図１５（Ａ））。
【００４３】
次に、袋体ポケット５０の構造における仕切り板５２の高さの工夫について説明する。
即席食品製品１００ｄを開封するまで、袋体が袋体ポケット５０に収納されている状態が維持されていなければならない。未開封の状態において袋体ポケット５０の上面には蓋１０が存在するが、仕切り板５２の高さが低い場合、袋体ポケット５０の上面と蓋１０の間に隙間が生じることとなる。この隙間が十分に狭く、袋体が抜け出ない幅であれば良い。このように、仕切り板５２の高さを工夫することにより、袋体ポケット５０の上に位置する蓋１０が、容器本体の上面の密封に加え、袋体ポケット空間５１に収納されている袋体が袋体ポケット５０から飛び出さないように蓋をする働きを兼ねることができる。
なお、この例では、仕切り板５２の上縁５２２がフランジ部分２１の高さと略同一となっており、蓋１０のシールがフランジ部分２１に加え、袋体ポケットの上縁５２２にもシールされている構造となっている。蓋１０がフランジ部分２１に加え袋体ポケットの上縁５２２にもシールされることにより、袋体ポケット空間５１が完全に密封され、蓋の開封まで袋体が袋体ポケット５０から抜け出ることはない。
【００４４】
なお、上記構成例は円形タイプの容器を用いた例であるが、角形タイプの容器を用いた場合であっても袋体ポケット５０を同様に設けることができる。
図１５（Ｂ）は実施例１に示した角形タイプの容器において、湯切りポケット３０の対角線上の角部分に袋体ポケット５０を設けた場合の例を示している。
上記構成により、開封つまみをつまんで蓋の一部を開封すれば、手元近くに袋体があり、すぐに袋体を取り出すことができ、従来のように袋体を探す手間、奥の方に落ち込んだ袋体を取り出す手間がなくなる。
【実施例６】
【００４５】
本発明の実施例６にかかる容器入り即席食品製品を示す。
実施例６の容器入り即席食品製品は、蓋の裏側に袋体ポケットを備えたものである。
図１６（Ａ）は円形タイプの容器入り即席食品製品の蓋１０ｅの裏面を示している。蓋１０ｅの裏面には袋体ポケット５０ｅが設けられている。この袋体ポケット５０ｅは袋状をしており、図１６（Ａ）の状態においてその上辺である開口辺５３のみが開口しており、内部に収納される袋体を出し入れする口となっている。なお、袋体自体は図示を省略している。
【００４６】
ここで、袋体ポケット５０ｅの蓋の裏面における取り付け位置および取り付け方向の工夫について説明する。
袋体ポケット５０ｅの蓋の裏面における取り付け位置は、開封用つまみ１１の近くとし、さらに、袋体ポケットの取り付け方向として、袋体ポケットの出入り口となる開口辺５３が蓋１０ｅの外周辺側を向いていることが好ましい。このように、袋体ポケット５０ｅの蓋の裏面における取り付け位置を工夫することにより、即席食品の湯戻し用の湯を注ぐために蓋の開封用つまみ１１をつまんで蓋の一部を開封した場合に、袋体ポケットが取り付けられている蓋部分が開封されて、袋体ポケットが見え、さらに、袋体ポケットの取り付け方向を工夫することにより、袋体の出し入れ口である開口辺５３が消費者の手前に来るので、内部に収納されている袋体を簡単に取り出すことができる（図１７（Ａ））。また、同時に内部に収納した袋体が蓋を開封するまでは抜け出ないという効果も得ることができる。つまり、開口辺５３は容器本体２０の側壁に向いて設けられているため、開口辺５３と容器本体２０の側壁の隙間が狭くなっており、その隙間の幅が袋体が抜け出ない程度に小さいものであれば蓋を開封するまでは袋体が抜け出ない。
【００４７】
図１６（Ｂ）は角形タイプの容器入り即席食品製品の蓋１０ｅの裏面を示している。蓋１０ｅの裏面には図１６（Ａ）と同様に袋体ポケット５０ｅが設けられている。この袋体ポケット５０ｅも袋状をしており、図１６（Ａ）の状態においてその上辺である開口辺５３（五角形において上の二辺）のみが開口しており、内部に収納される袋体を出し入れする口となっている。
袋体ポケット５０ｅの蓋の裏面における取り付け位置および取り付け方向の工夫も同様であり、袋体ポケット５０ｅの蓋の裏面における取り付け位置は、開封用つまみ１１の近くとし、さらに、袋体ポケットの取り付け方向として、袋体ポケットの開口辺５３が蓋１０ｅの外周辺側を向いていることが好ましい。図１７（Ｂ）に示すように、図１７（Ａ）と同様、袋体の出し入れ口である開口辺５３が消費者の手前に来るので、内部に収納されている袋体を簡単に取り出すことができ、同時に内部に収納した袋体が蓋を開封するまでは抜け出ないという効果も得ることができる。
【実施例７】
【００４８】
本発明の実施例７にかかる容器入り即席食品製品を示す。
実施例７の容器入り即席食品製品は、具材調理ポケットを備えたものである。
図１８（Ａ）は実施例７の容器入り即席食品製品１００ｆの容器本体２０ｆの平面図の例、図１８（Ｂ）は実施例７の容器本体２０ｆのＫ−Ｋに沿った断面から具材調理ポケット６０側を見た様子を示す断面図、図１８（Ｃ）は実施例７の容器本体２０ｆのＬ−Ｌに沿った断面図である。この構成例は、角形タイプの容器を用いた例であり、具材調理ポケット６０に加え、湯切りポケット３０も備えている構成である。この構成例では具材調理ポケット６０は湯切りポケット３０の対角線上の角に設けられている。即席食品は図示を省略しているが容器本体２０ｆの内部に収められている。また袋体の図示も省略している。
【００４９】
なお、具材調理ポケット６０は、具材の湯戻しと湯切りの調理空間を提供するものであるが、実施例５に述べた袋体ポケット５０として兼用することができる。
なお、実施例７の蓋開封前の容器入り即席食品製品１００の平面図の例および側面図の例は図１と同様で良く、その図示を省略する。蓋１０の構成、湯切りポケット３０の構成、蓋１０の接着などについても実施例１と同様で良く、ここでの説明は省略する。
【００５０】
具材調理ポケット６０は、容器本体２０ｆの内面側壁の一部に設けられ、即席食品の付属物として容器本体２０ｆ内に同封される具材を即席食品とは分離した状態で湯戻しと湯切りの調理をするための具材調理空間を提供するものである。
具材を具材調理ポケット６０に収納して湯戻しと湯切りを行なうので、容器本体空間２３において湯戻しと湯切りが行なわれる即席食品とは分離された形で具材の調理を行なうことができ、湯切りまで混在することがない。
具材調理ポケット６０は、具材調理ポケット空間６１と仕切り板６２を備え、仕切り板６２により容器本体空間２３とは仕切られて具材調理ポケット空間６１が形成されている。仕切り板６２の側面が６２１で上縁が６２２であり、仕切り板の側面６２１には容器本体空間２３と具材調理ポケット空間６１を導通させる一つ以上の湯切り口６３が設けられている。
ここで、具材調理ポケット６０の底面の高さおよび湯切り口６３の位置の高さは、即席食品を湯戻しするために容器本体２０ｆに所定量の湯を注いだ状態において湯の喫水線より低く、具材調理ポケット内の具材にも湯が十分に浸水することが好ましい。容器本体空間２３の即席食品の湯戻しと並行して具材調理ポケット空間の具材の湯戻しが行なわれるからである。
【００５１】
実施例７の容器入り即席食品製品１００ｆの調理の手順は以下のようになる。
まず、蓋の開封用つまみ１１をつまんで蓋の一部を開封する（図１９（Ａ））。この構成例では開封用つまみ１１の設けられている角に具材調理ポケット６０が設けられているので、具材調理ポケットがすぐに覗く。
この例では具材調理ポケット６０を袋体ポケットとして兼用するので袋体が収納されており、消費者は蓋を開封してすぐに袋体を取り出すことができる。袋体を取り出し、そのうち、湯戻しが必要な具材を袋体から取り出して具材調理ポケット６０内に入れる。
その後、湯戻し用の湯を所定量注ぎいれ、蓋を閉じ、所定時間の経過を待つ（図１９（Ｂ）。具材は湯の喫水線より低い位置に収納されているので十分に湯に浸ることとなる。
湯戻しが終わると、排湯口開口用つまみ１２をつまみ、第２の蓋部分１４を取り去る。第２の蓋部分１４を取り去ると湯切りポケット空間３１が覗く（図２０（Ａ））。
次に、湯切りポケット３０が下になるように即席食品製品１００ｆ全体を傾けて排湯を行なう（図２０（Ｂ））。湯切りポケット３０により緩衝されて容器の角部分から集中して排湯流が整然と流れ出す。
次に、第１の蓋部分１３をすべて取り去り、容器本体２０ｆの上面全面を開口し、その後、即席食品に対する調理を続行する。
例えば、即席やきそばであれば調味料袋体からソースを取り出してやきそば麺と混ぜ合わせる。
例えば、麺の湯戻しと湯切りを行なう即席ラーメンであれば、スープ調理用の湯を注いで調味料袋体からスープの素を取り出して混ぜ合わせ、スープを作成する。
即席食品に対する調理が終了した後、具材調理ポケット６０に収納されている具材を取り出し、容器本体内の即席食品の上にトッピングする（図２１）。
【００５２】
実施例７の容器入り即席食品製品によれば、即席食品の湯戻し作業、湯切り作業を通じて、付属の具材を即席食品本体とは別に分離した状態とすることができ、湯切り後に具材を即席食品本体にトッピングすることができ、見栄え良く、具材が隠れることなく綺麗に、かつ具材を食べやすく盛り付けることができる。
なお、上記例は角形タイプの容器であるが、例えば即席食品が即席ラーメンであれば円形タイプの容器とすることができる。
また、上記説明では、当初、具材は袋体に収められているものとして説明したが、当初から乾燥具材が剥き出しの状態で具材調理ポケット６０内に収められているものでも構わない。この場合、具材を袋体から取り出して具材調理ポケット６０内に入れる手間を省くことができる。
【実施例８】
【００５３】
本発明の実施例８にかかる容器入り即席食品製品を示す。
実施例８の容器入り即席食品製品は、蓋の裏側に具材調理ポケットを備えたものである。
図２２（Ａ）は円形タイプの容器入り即席食品製品１００ｇの蓋１０ｇの裏面を示している。図２２（Ｂ）はＭ−Ｍに沿った側断面を示している。
【００５４】
蓋１０ｇの裏面には具材調理ポケット６０ｇが設けられている。この具材調理ポケット６０ｇは箱型をしており、側壁６２の開口部分に閉塞蓋６４が取り付けられ、具材調理ポケット空間６１が形成されている。この具材調理ポケット空間６１内には乾燥具材が剥き出しの状態で収められている。なお、乾燥具材の図示は省略する。
閉塞蓋６４には湯切り口６３が設けられている。この湯切り口６３の大きさは、具材調理ポケット空間６１内に収納されている具材より小さく、湯切りの際、具材が湯切り口６３から抜け出ないようになっている。
ここで、具材調理ポケット６０ｇの底面の高さおよび湯切り口６３の位置の高さは、実施例７と同様、即席食品を湯戻しするために容器本体２０に所定量の湯を注いだ状態において湯の喫水線より低く、具材調理ポケット内の具材にも湯が十分に浸水することが好ましい。容器本体空間２３の即席食品の湯戻しと並行して具材調理ポケット空間６１内の具材の湯戻しが行なわれるからである。
【００５５】
実施例８の容器入り即席食品製品１００ｇの調理は以下のようになる。
まず、蓋の開封用つまみ１１をつまんで蓋の一部を開封し、湯戻し用の湯を所定量注ぎ入れる。湯戻し用の湯は本体容器空間２３から湯切り口６３を介して具材調理ポケット空間６１の中にも浸水し、乾燥具材が湯に十分に喫水する（図２３（Ａ））。蓋を閉じ、所定時間の経過を待つ。
湯戻しが終わると、容器本体２０ｆを傾けて排湯を行なう（図２３（Ｂ））。なお、湯切り用に、湯切りポケット３０を設けた構成とすることができる。
この湯切りにおいて、具材調理ポケット空間６１の中に浸水していた湯が湯切り口６３を介して本体容器空間２３に出て行き、さらに、本体容器空間２３から湯切り口（例えば、湯切りポケット３０の湯切り口３３）を介して外部空間に注ぎ出る（図２３（Ｂ）、図２３（Ｃ））。
次に、蓋１０ｇを容器本体２０から取り去り、容器本体２０の上面全面を開口し、その後、即席食品に対する調理を続行する。
例えば、即席やきそばであれば調味料袋体からソースを取り出してやきそば麺と混ぜ合わせる。
例えば、麺の湯戻しと湯切りを行なう即席ラーメンであれば、スープ調理用の湯を注いで調味料袋体からスープの素を取り出して混ぜ合わせ、スープを作成する。
即席食品に対する調理が終了した後、つまみ６５をつまんで閉塞蓋６４を取り去り、具材調理ポケット６０ｇ内に収納されている具材を取り出し、容器本体内の即席食品の上にトッピングする（図２４（Ａ））。
【００５６】
上記説明では具材調理ポケット６０ｇの底面側の閉塞蓋６４を取り去る構成として説明したが、蓋１０ｇの表面から具材調理ポケット６０ｇの上面側が開口するように開口蓋１８を設ける構成でも良い。蓋１０ｇを具材調理ポケット６０ｇごと容器本体２０から取り出した後、蓋１０ｇの表面から開口蓋１８を取り除けば、その下にある具材調理ポケット空間６１が開口する仕組みとなっている（図２４（Ｂ））。
【実施例９】
【００５７】
本発明の実施例９にかかる容器入り即席食品製品を示す。
実施例９の容器入り即席食品製品は、実施例１に示した湯切りポケットを備えた取り付け体を用い、容器本体の支持形状に支持させて着脱自由としたものである。一例として、容器本体内に支持形状を設け、当該支持形状に対して取り付け体を嵌合させて取り付けるものを示す。支持形状が嵌合形状で取り付け体が嵌合体となる組み合わせの例である。
以下の構成例は角形タイプの容器に適用した例であるが円形タイプの容器でも適用できる。
図２５（Ａ）は実施例９の容器本体２０ｈの平面図の例、図２５（Ｂ）は実施例９の容器本体２０ｈのＮ−Ｎに沿った断面図である。即席食品の図示は省略するが容器本体２０ｈ内に収められている。
なお、実施例９の蓋開封前の即席食品製品１００ｈの平面図の例および側面図の例は図１と同様で良く、蓋１０の構成も実施例１と同様で良く、その図示を省略する。
【００５８】
図２５において、容器本体２０ｈは外周縁に凹型の支持形状２４を持っている。この支持形状２４は取り付け体７０ｈと嵌合し合う形状となっている。
【００５９】
図２６は取り付け体７０ｈの構成例を示す図であり、図２６（Ａ）が取り付け体７０ｈの平面図、図２６（Ｂ）がＯ−Ｏ線を水平方向にとった側面図、図２６（Ｃ）がＯ−Ｏ線に沿った側断面の端面を示す図、図２６（Ｄ）がＰ−Ｐ線側から見た湯切りポケット７３０のみを示した図である。
取り付け体７０ｈは、容器本体２０ｈの支持形状２４と合致する嵌合部７１と湯切りポケット７３０を備えている。また、この例では取り付け体７０ｈの容器本体２０ｈへの着脱を容易とするための指かけフック７２を備えている。
取り付け体７０ｈの一部に形成されている湯切りポケット７３０は、仕切り板７３２と背板７３７を備えている。仕切り板７３２は側面７３２１と上縁７３２２と湯切り口７３３を備えている（図２６（Ｄ））。この例では湯切りポケット空間７３０と容器本体２０ｈの側壁２２が接する部分に背板７３７を備え、湯切りポケット空間７３０が袋状なっている（図２６（Ｂ）、図２６（Ｃ））。
湯切りポケット７３０の仕切り板７３２の上縁は、実施例１と同様、フランジ部分２１の高さと略同一となっている。
湯切り口７３３は、即席食品の大きさよりやや小さい径を持ち、容器本体空間２３と湯切りポケット空間７３１とを導通させるものである。
【００６０】
図２７は、取り付け体７０ｈを容器本体２０ｈに嵌合して取り付けている状態を示す図である。取り付け体７０ｈの上面の高さは容器本体２０ｈのフランジ部分２１の高さと略同一となっている。図２７（Ｂ）は図２７（Ａ）におけるＱ−Ｑ線に沿った断面図である。
蓋１０は、実施例１と同様、容器本体のフランジ部２１と湯切りポケットの仕切り板の上縁７３２２において接着される。また、取り付け体７０ｈの嵌合部７１にもシールすることができる。フランジ部２１と嵌合部７１の双方にシールするとシールする幅が太くなり、蓋のシール強度が向上し、さらに、後述するように、湯切り後、蓋をはがすと取り付け体７０ｈを併せて容器本体２０ｈから取り出すことができるからである。
【００６１】
実施例９の容器入り即席食品製品１００ｈの調理の手順は以下のようになる。
まず、蓋の開封用つまみ１１をつまんで蓋の一部を開封し、湯戻し用の湯を所定量注ぎ入れる（図２８（Ａ））。取り付け体７０ｈは邪魔にならないので湯の注ぎ入れの障害とはならない。蓋を閉じ、所定時間の経過を待つ（図２８（Ｂ））。
湯戻しが終了すれば、湯切りを行なう。まず、蓋の排湯口開口用つまみ１２をつまんで第２の蓋部分１４を剥離して除去する。第２の蓋部分１４を開封することにより湯切りポケット７３０の上面が開口し、湯切りポケット空間７３１が覗く（図２９（Ａ））。実施例１と同様、第１の蓋部分１３による湯切りポケットの仕切り板の上面７３２２に対するシールは維持されることが好ましい。
湯切りポケット７３０を下側にして容器全体を傾けて湯切りを行なう（図２９（Ｂ））。排湯は容器本体空間２３から湯切りポケットの仕切り板７３２の複数の湯切り口７３３を通して湯切りポケット空間７３１に入り、湯切りポケット空間７３１で緩衝された後、湯切りポケット７３０の上面開口の角部分から集中して排湯流が整然と流れ出すこととなる。
次に、蓋１０を取り去り、さらに、取り付け体７０ｈも取り去り、容器本体２０ｈの上面全面を開口し、その後、即席食品に対する調理を続行する（図３０）。取り付け体７０ｈと蓋１０がシールされている場合、蓋１０を取り去ると取り付け体７０ｈも併せて取り外すことができる。
例えば、即席やきそばであれば調味料袋体からソースを取り出してやきそば麺と混ぜ合わせる。
例えば、麺の湯戻しと湯切りを行なう即席ラーメンであれば、スープ調理用の湯を注いで調味料袋体からスープの素を取り出して混ぜ合わせ、スープを作成する。
上記に示したように、取り付け体７０ｈの仕切り板７３２に湯切り口７３３を設けることにより湯切り口の数や大きさや位置の制限を緩和して湯切り能力を向上させ、かつ、取り付け体の湯切りポケット７３０が排湯のバッファとなり、排湯流を集中させて外に導くことができる。また、取り付け体は容器本体から簡単に取り外すことができるので、喫食前に取り付け体を取り外せば邪魔になることもない。
【実施例１０】
【００６２】
本発明の実施例１０にかかる容器入り即席食品製品を示す。
実施例１０の容器入り即席食品製品は、実施例３に示した湯切り板を備えた取り付け体を用い、容器本体の支持形状に支持させて着脱自由としたものである。一例として、容器本体内に支持形状を設け、当該支持形状に対して取り付け体を嵌合させて取り付けるものを示す。
以下の構成例は角形タイプの容器に適用した例として説明するが円形タイプの容器でも適用できる。
なお、実施例１０の蓋開封前の容器入り即席食品製品１００ｉの平面図の例および側面図の例は図１と同様で良く、蓋１０の構成も実施例１と同様で良く、その図示を省略する。
また、実施例１０の容器本体２０ｉの構成も実施例９の容器本体２０ｈと同様で良く、ここでの図示を省略する。
【００６３】
図３１（Ａ）は実施例１０の取り付け体７０ｉの平面図の例、図３１（Ｂ）は実施例１０の取り付け体７０ｉのＲ−Ｒを水平方向にとった平面図である。
取り付け体７０ｉは、容器本体２０ｉの支持形状２４と合致する嵌合部７１と湯切り板７４０を備えている。また、この例では取り付け体７０ｉの着脱を容易とするための指かけフック７２を備えている。
湯切り板７４０は、実施例３と同様、外縁７４０１と内縁７４０２を持ち、一つ以上の湯切り口７４１を備えている。
【００６４】
図３２は、取り付け体７０ｉを容器本体２０ｉに嵌合して取り付けている状態を示す図である。この例では取り付け体７０ｉの上面の高さは容器本体２０ｉのフランジ部分２１の高さと略同一となっている。図２７（Ｂ）は図２７（Ａ）におけるＳ−Ｓ線に沿った断面図である。
蓋１０は、容器本体のフランジ部２１と湯切り板の内縁７４０２において接着され、実施例３と同様、湯切り板の内縁７４０２に沿って切れ目１５が設けられている。なお、実施例９と同様、蓋１０はフランジ部２１に加え、取り付け体７０ｉの嵌合部７１にもシールすることが好ましい。
【００６５】
実施例１０の容器入り即席食品製品１００ｉの手順は以下のようになる。なお、即席食品の図示は省略する。
まず、蓋の開封用つまみ１１をつまんで蓋の一部を開封し、湯戻し用の湯を所定量注ぎ入れる（図３３（Ａ））。取り付け体７０ｉは邪魔にならないので湯の注ぎ入れの障害とはならない。蓋を閉じ、所定時間の経過を待つ（図３３（Ｂ））。
湯戻しが終了すれば、湯切りを行なう。まず、蓋の排湯口開口用つまみ１２をつまんで第２の蓋部分１４を剥離して除去する。第２の蓋部分１４を開封することにより湯切り板７４０の上面が開口する（図３４（Ａ））。実施例３と同様、第１の蓋部分１３による湯切り板の内縁７４０２に対するシールは維持され、容器本体空間２３の上面は第１の蓋部分１３によりしっかり密封されていることが好ましい。
湯切り板７４０を下側にして容器全体を傾けて排湯を行なう（図３４（Ｂ））。排湯は容器本体空間２３から湯切り板７４０の複数の湯切り口７４１から流れ出すこととなる。即席食品および湯の圧力は湯切り板の外縁７４０１に最も強くかかるが取り付け体７０ｉは容器本体の支持形状２４と嵌合しており、さらに、蓋１０により嵌合部７１がシールされており、当該部分の構造的強度が強くなっている。また、排湯は湯切り板７４０の上を流れるのみで、湯切り板の内縁７４０２と蓋の接着個所の上を排湯が流れることもない。
次に、蓋１０を取り去り、さらに、取り付け体７０ｉも取り去り、容器本体２０ｉの上面全面を開口し、その後、即席食品に対する調理を続行する（図３５）。
上記に示したように、取り付け体７０ｉの湯切り板７４０に湯切り口７４１を設けることにより湯切り口の数や大きさや位置の制限を緩和して湯切り能力を向上させ、かつ、取り付け体の湯切り板７４０により排湯に対する構造的強度が強くなる。また、取り付け体は容器本体から簡単に取り外すことができるので、喫食前に取り付け体を取り外せば邪魔になることもない。
【実施例１１】
【００６６】
本発明の実施例１１にかかる容器入り即席食品製品を示す。
実施例１１の容器入り即席食品製品は、実施例５に示した袋体ポケットを備えた取り付け体を用い、容器本体の支持形状に支持させて着脱自由としたものである。一例として、容器本体内に支持形状を設け、当該支持形状に対して取り付け体を嵌合および係止させて取り付けるものを示す。
以下の構成例は角形タイプの容器に適用した例として説明するが円形タイプの容器でも適用できる。
なお、実施例１１の蓋開封前の容器入り即席食品製品１００ｊの平面図の例および側面図の例は図１と同様で良く、蓋１０の構成も実施例１と同様で良く、その図示を省略する。
実施例１１の容器本体２０ｊの構成を図３６に示す。容器本体２０ｊは実施例９の容器本体２０ｈと同様に、フランジ部２１、側壁２２、容器本体空間２３を持ち、嵌合形状である支持形状２４を備えているが、図３６の構成では、さらに、側壁内面の一部が内側に張り出すように形成されている支持形状２６が設けられている。この支持形状２６は取り付け体７０ｊを載せ置くことにより取り付け体７０ｊを係止する係止形状となっている。この実施例１１では、容器本体２０内において、取り付け体７０ｊは支持形状２４に嵌合されるとともに、支持形状２６に係止されることにより支持される例となっている。
【００６７】
図３７（Ａ）は実施例１１の取り付け体７０ｊの平面図の例、図３７（Ｂ）は実施例１１の取り付け体７０ｊのＴ−Ｔを水平方向にとった側面図であり、図３７（Ｃ）はＴ−Ｔに沿った側断面の端面を示す図である。図３７（Ｄ）はＵ−Ｕ線側から見た湯切りポケット７３０のみを示した図である。
取り付け体７０ｊは、容器本体２０ｊの支持形状２４と合致する嵌合部７１と袋体ポケット７５０を備えている。なお、この例では実施例９に示した湯切りポケット７３０も備えた構成とする。また、この例では取り付け体７０ｊの着脱を容易とするための指かけフック７２を備えている。
【００６８】
袋体ポケット７５０は、実施例５と同様、仕切り板７５２および背板７５３を持ち、袋状の袋体ポケット空間７５１を形成している。ここに、かやく袋体、薬味袋体、調味料袋体など各種袋体を収納しておく。
袋体ポケット７５０の位置を工夫して、開封用つまみ１１の付近に袋体ポケット７５０を設置する工夫は実施例５と同様である。即席食品の湯戻し用の湯を注ぐために、蓋の開封用つまみ１１をつまんで蓋１０の一部を開封した場合に、袋体ポケット７５０の上に位置している蓋部分が開封され、消費者の手元近くに袋体が見え、すぐに袋体を取り出すことができる。また、袋体ポケット７５０の構造における仕切り板７５２の高さの工夫についても実施例５と同様であり、蓋１０を未開封の状態において、袋体が袋体ポケット７５０から抜け出ない工夫を施すことが好ましい。
湯切りポケット７３０は実施例９と同様であるのでここでの説明は省略する。
【００６９】
図３８は、容器本体２０ｊに取り付け体７０ｊを取り付けた様子を示す図である。取り付け体７０ｊが支持形状２４に嵌合されるとともに、支持形状２６の上面に係止されることにより支持される。蓋１０ｊを容器本体のフランジ部２１と取り付け体７０ｊの外縁周辺にシールすることにより、蓋１０ｊはしっかりと容器本体上面をシールすることができる。また、取り付け体７０ｊは上面は蓋１０ｊにより固定され、下面は支持形状２４および支持形状２６により支持され、しっかりと固定される。
実施例１１の容器入り即席食品製品１００ｊの調理の手順は、実施例５および実施例９と同様であるのでここでの説明は省略する。
上記に示したように、実施例１１の即席食品製品では、開封つまみをつまんで蓋の一部を開封すれば、手元近くに袋体があり、すぐに袋体を取り出すことができ、従来のように袋体を探す手間、奥の方に落ち込んだ袋体を取り出す手間がなくなる。
また、取り付け体７０ｊは容器本体から簡単に取り外すことができるので、喫食前に取り付け体を取り外せば邪魔になることもない。
【実施例１２】
【００７０】
本発明の実施例１２にかかる容器入り即席食品製品を示す。
実施例１２の即席食品製品は、実施例１（実施例９）に示した湯切りポケットと、実施例５（実施例１１）に示した袋体ポケットと、実施例７に示した具材調理ポケットとを備えた取り付け体を用い、容器本体の支持形状に支持させて着脱自由としたものである。なお、ここでは具材調理ポケットを袋体ポケットとして兼用するタイプの構成例を示す。一例として、容器本体内に支持形状を設け、当該支持形状に対して取り付け体を嵌合させて取り付けるものを示す。
以下の構成例は角形タイプの容器に適用した例として説明するが円形タイプの容器でも適用できる。
実施例１２の蓋開封前の容器入り即席食品製品１００ｋの平面図の例および側面図の例は図１と同様で良く、蓋１０の構成も実施例１と同様で良く、その図示を省略する。
また、実施例１２の容器本体２０ｋの構成も実施例９の容器本体２０ｈと同様で良く、ここでの図示を省略する。
【００７１】
図３９（Ａ）は実施例１２の取り付け体７０ｋの平面図の例、図３９（Ｂ）は実施例１２の取り付け体７０ｋのＶ−Ｖ線に沿った即断面の端面を示す図、図３９（Ｃ）はＷ−Ｗ線に沿った側断面の端面を示す図である。
図３９（Ａ）に示すように、実施例１２の取り付け体７０ｋは、湯切りポケット７３０と、具材調理ポケット７６０を備えている。また、湯戻し用の湯を注入するための大きな開口部７７を備えている。
湯切りポケット７３０は実施例９に示したように仕切り板７３２には湯切り口７３３を備え、仕切り板７３２と背板７３７により湯切りポケット空間７３１が形成されている（図３９（Ｂ））
具材調理ポケット７６０は実施例７に示したように具材調理ポケット空間６１を備えているが、仕切り板７６２は図３９（Ｃ）に示すように箱型をしており、湯切り口６３は底面に設けられている（図３９（Ａ））。
【００７２】
具材調理ポケット７６０は実施例１１に示した袋体ポケット７５０としての役割も兼務する。つまり、未開封の状態においては、具材調理ポケット７６０を袋体ポケットとして用い、具材袋体や薬味袋体や調味料袋体などの付属の袋体をその具材調理ポケット空間７６１に収納しておく。蓋を開封して袋体を取り出した後は具材調理ポケット７６０として用いる。つまり、具材袋体を開けて湯戻しが必要な具材を具材調理ポケット空間７６１に入れる。こうすることで具材調理ポケット７６０が本来の具材調理ポケットとして用いることができる。
【００７３】
実施例１２の容器入り即席食品製品１００ｋの調理の手順は以下のようになる。なお、容器２０ｋ内の即席食品の図示は省略している。
開封用つまみ１１をつまんで蓋１０の一部を開封する。開口部７７と具材調理ポケット７６０の上面が開口する（図４０（Ａ））。
具材調理ポケット空間７６１に収納されている各種袋体を取り出し、具材袋体を開けて湯戻しが必要な具材を具材調理ポケット空間７６１に入れる。なお、具材は袋体に袋詰せずに、当初から具材調理ポケット７６０に剥き出しにして他の袋体とともに入れておく構成でも良い。具材袋体の利用者による開封を省略することができる。
湯を開口部７７から所定量注入する。ここで、開口部７７は消費者の手前に大きく開口しており、湯の注入に際して取り付け体７０ｋが障害となることはない。
蓋１０を閉じて湯戻しに必要な所定時間の経過を待つ。
湯切りの手順は実施例９、具材の取り出しは実施例７に示した手順と同様で良いので以降の手順の説明は省略する。
【実施例１３】
【００７４】
上記実施例９から実施例１２の即席食品製品の構成例は角形タイプの容器の例として説明したが円形タイプの容器であっても適用できる。実施例１３は一例として実施例１２に示した容器を円形タイプの容器に適用した例を示す。
図４１（Ａ）は実施例１３の容器本体２０ｍの平面図の例、図４１（Ｂ）は実施例１３の容器本体２０ｍのＸ−Ｘ線に沿った断面図である。図４１において、容器本体２０ｍは外周縁に凹型の支持形状２４を持っている。この支持形状は後述する取り付け体７０ｍと嵌合し合う形状となっている。なお、ここでは円形であるので、回転を制動しやすいように、溝２５を設ける工夫をしている。
【００７５】
図４２は取り付け体７０ｍの構成例を示す図であり、図４２（Ａ）が取り付け体７０ｍの平面図である。
取り付け体７０ｍは、実施例１２の取り付け体７０ｍと同様、容器本体２０ｍの支持形状２４と合致する嵌合部７１、湯切りポケット７３０、具材調理ポケット７６０、開口部７７を備えている。また、この例では支持形状の溝２５に対応してギザ７９が設けられている。
図４２（Ｂ）が取り付け体７０ｍを容器本体２０ｍに嵌合して取り付けた様子を示す図である。
【００７６】
図４３（Ａ）は即席食品製品の蓋を開封した様子である。具材調理ポケット７６０と開口部７７の上面が開口する。即席食品、袋体の図示は省略している。具材調理ポケット７６０に収納されている袋体を取り出し、具材袋体を開封して具材を具材調理ポケットに入れる。所定量の湯を開口部７７から注入する。開口部７７は手前に大きく開口しているので取り付け体７０ｍは湯の注入の障害とはならない。
図４４（Ａ）は蓋の第２の蓋部分１４を取り去り、湯切りポケット７３０の上面を開口した様子を示す図である。図４４（Ｂ）に示すように湯切りを行なう。
図４５に示すように、容器本体２０ｍから蓋１０と取り付け体７０ｍを取り出し、即席食品に必要な調理を施す。湯戻しと湯切りが済んだ具材を具材調理ポケットから取り出して容器本体２０ｍの即席食品上にトッピングする。
【実施例１４】
【００７７】
本発明の実施例１４にかかる容器入り即席食品製品を示す。
上記実施例９から実施例１３の容器入り即席食品製品は、取り付け体の嵌合部７１がリング状をしている例であるが、実施例１４の容器入り即席食品製品は、取り付け体が橋梁状をしている例である。
実施例１４の即席食品製品の取り付け体７０ｎは、湯切りポケット７３０と袋体ポケット７５０の２つのポケットを備えた構成例である。
以下の構成例は角形タイプの容器に適用した例として説明するが円形タイプの容器でも適用できる。
図４６（Ａ）は実施例１４の容器本体２０ｎの平面図の例、図４６（Ｂ）は実施例１４の容器本体２０ｎのＹ−Ｙに沿った断面図である。なお、実施例１４の蓋開封前の即席食品製品１００ｎの平面図の例および側面図の例は図１と同様で良く、蓋１０の構成も実施例１と同様で良く、その図示を省略する。即席食品の図示も省略するが容器本体２０ｎ内に収められている。
図４６において、容器本体２０ｎは２箇所の角縁に凹型の支持形状２４１と２４２を持っている。この支持形状は後述する取り付け体７０ｎと嵌合し合う形状となっている。
【００７８】
図４７は取り付け体７０ｎの構成例を示す図であり、図４７（Ａ）が取り付け体７０ｎの平面図、図４７（Ｂ）がＺ−Ｚ線に沿った断面図、図４７（Ｃ）がＡＡ−ＡＡ線側から見た湯切りポケット７３０のみを示した図である。
取り付け体７０ｎは、嵌合部７１１および７１２、湯切りポケット７３０、袋体ポケット７５０、橋梁部７８を備えている。それぞれの上面は同じ高さであることが好ましい。
嵌合部７１１は容器本体２０ｎの支持形状２４１と合致する部分であり、嵌合部７１２は容器本体２０ｎの支持形状２４２と合致する部分であり、それぞれ、実施例９に示した湯切りポケット７３０の湯切りポケット空間７３１の背板７３７、袋体ポケット７５０の袋体ポケット空間の背板としての役割も兼務している。
湯切りポケット７３０は、実施例９に示したものと同様であり、袋体ポケット７５０は、実施例７（実施例１１）に示したものと同様に考えることができる。
橋梁部７８は、嵌合部７１１と嵌合部７１２をつなぐ橋梁部分であり、容器本体２０ｎに対して取り付け体７０ｎを対角線上に取り付けて支える役割をしている。
【００７９】
図４８は、取り付け体７０ｎを容器本体２０ｎに取り付けた様子を示す図である。取り付け体７０ｎを取り付けた状態において、容器本体２０ｎのフランジ部分２１の高さと取り付け体７０ｎの上面が略同一の高さであることが好ましい。
蓋１０は、容器本体２０ｎのフランジ部分２１、湯切りポケット７３０の上面にシールされている。なお、袋体ポケットの上面に対してもシールしても良い。袋体ポケット空間を密封できるからである。また、橋梁部７８の上面に対してもシールしても良い。蓋のシール強度が強くなるからである。
【００８０】
実施例１４の即席食品製品１００ｎの調理の手順は以下のようになる。
開封用つまみ１１をつまんで蓋１０の一部を開封する。容器本体空間２３と袋体ポケット７５０の上面が開口する（図４９（Ａ））。
袋体ポケット空間７５１に収納されている各種袋体を取り出し、湯を容器本体空間２３から所定量注入する。ここで、橋梁部７８が存在するがその両側は大きく開口しているので、湯の注入に際して取り付け体７０ｎが障害となることはない。
蓋１０を閉じて湯戻しに必要な所定時間の経過を待つ（図４９（Ｂ））。
湯切りは実施例９と同様、蓋の第２の蓋部分１４を取り除き（図５０（Ａ））、湯切りを行う（図５０（Ｂ））。排湯は湯切りポケットの湯切り口７３３から湯切りポケット空間７３１に入り、緩衝されて外部に放出される。
容器本体２０ｎから蓋１０および取り付け体７０ｎを取り除き、即席食品の調理を行なう（図５１）。
【実施例１５】
【００８１】
本発明の実施例１５にかかる容器入り即席食品製品を示す。
実施例１５の即席食品製品は、実施例１４と同様、取り付け体が橋梁状であり、その嵌合部が板状であり、取り付け体を容器本体に嵌合させた状態において、湯切りポケット空間や袋体ポケット空間や具材調理ポケット空間を形成する例である。
以下の構成例は角形タイプの容器に適用した例として説明するが円形タイプの容器でも適用できる。
図５２（Ａ）は実施例１５の容器本体２０ｐの平面図の例、図５２（Ｂ）は実施例１５の容器本体２０ｐのＡＢ−ＡＢに沿った断面図である。即席食品の図示は省略する。
なお、実施例１５の蓋開封前の即席食品製品１００ｐの平面図の例および側面図の例は図１と同様で良く、蓋１０の構成も実施例１と同様で良く、その図示を省略する。
図５２において、容器本体２０ｐは２箇所の角縁に凹型の支持形状２４１ａと２４２ｂを持っている。これらの支持形状は後述する取り付け体７０ｐと嵌合し合う形状となっている。
【００８２】
図５３は取り付け体７０ｐの構成例を示す図であり、図５３（Ａ）が取り付け体７０ｐの平面図、図５３（Ｂ）がＡＣ−ＡＣ線に沿った断面図、図５３（Ｃ）がＡＤ−ＡＤ線側から見た湯切りポケット７３０のみを示した図である。
取り付け体７０ｐは、嵌合部７１１および７１２、橋梁部７８を備えている。それぞれの上面は同じ高さであることが好ましい。
嵌合部７１１は容器本体２０ｐの支持形状２４１ａと合致する部分であり、また、容器本体を、即席食品が収納される第１の空間である容器本体空間２３と、第２の空間に仕切る仕切り板７３２としての役割を兼務する。仕切り板７３２の外側が湯切りポケット空間７３１ａとなる。仕切り板７３２の側面７３２１には複数の湯切り口７３３が設けられている。
嵌合部７１２は容器本体２０ｐの支持形状２４２ａと合致する部分であり、容器本体を、即席食品が収納される第１の空間である容器本体空間２３と、袋体を収納する第２の空間に仕切る仕切り板７５２としての役割を兼務する。仕切り板７５２の外側が袋体ポケット空間７５１ａとなる。
橋梁部７８は、嵌合部７１１と嵌合部７１２をつなぐ橋梁部分であり、容器本体２０ｐに対して取り付け体７０ｐを対角線上に取り付けて支える役割をしている。
【００８３】
図５４は、取り付け体７０ｐを容器本体２０ｐに取り付けた様子を示す図である。取り付け体７０ｐを取り付けた状態において、容器本体２０ｐのフランジ部分２１の高さと取り付け体７０ｐの上面が略同一の高さであることが好ましい。嵌合部７１１である仕切り板７３２により、湯切りポケット空間７３１ａが形成され、嵌合部７１２である仕切り板７５２により、袋体ポケット空間７５１ａが形成される。
形成された湯切りポケット空間７３１ａは実施例１４の湯切りポケット空間７３１と同様であり、袋体ポケット空間７５１ａは実施例１４の袋体ポケット空間７５１と同様である。
蓋１０は、容器本体２０ｐのフランジ部分２１、嵌合部７１１の上面にシールされている。なお、嵌合部７１２の上面に対してもシールしても良い。袋体ポケット空間が密封されるからである。また、橋梁部７８の上面に対してもシールしても良い。蓋のシール強度が強くなるからである。
実施例１５の即席食品製品１００ｐの調理の手順は実施例１４の即席食品製品１００ｎの場合と同様で良いのでここでの説明は省略する。
【実施例１６】
【００８４】
本発明の実施例１６にかかる容器入り即席食品製品を示す。
実施例１６の即席食品製品は、実施例１４と同様、取り付け体が橋梁状をしている例であり、取り付け体に、実施例４と同様、湯切りポケット７３０と湯切り板７４０を設け、さらに、実施例１２と同様、具材調理ポケット７６０を設けた例である。
以下の構成例は角形タイプの容器に適用した例として説明するが円形タイプの容器でも適用できる。
実施例１６の容器本体２０ｑは実施例１４に示した図４６と同様で良い。
また、実施例１６の蓋開封前の即席食品製品１００ｑの平面図の例および側面図の例は図１と同様で良く、蓋１０の構成も実施例１と同様で良く、その図示を省略する。
【００８５】
図５５は取り付け体７０ｑの構成例を示す図であり、図５５（Ａ）が取り付け体７０ｑの平面図、図５５（Ｂ）がＡＥ−ＡＥ線に沿った断面図、図５５（Ｃ）がＡＦ−ＡＦ線側から見た湯切りポケット７３０のみを示した図、図５５（Ｄ）がＡＦ−ＡＦ線側から見た具材調理ポケット７６０のみを示した図である。
取り付け体７０ｑは、嵌合部７１１と仕切り板７３２と湯切り板７４０、嵌合部７１２と仕切り板７６２、橋梁部７８を備えている。それぞれの上面は同じ高さであることが好ましい。
嵌合部７１１は容器本体２０ｑの支持形状２４１と合致する部分であり、仕切り板７３２とともに湯切りポケット空間７３１を形成している。仕切り板の側面７３２１には複数の湯切り口７３３が設けられている（図５５（Ｃ））。なお、湯切りポケット空間７３１の上面に湯切り板７４０が設けられている。
嵌合部７１２は容器本体２０ｑの支持形状２４２と合致する部分であり、仕切り板７６２とともに具材調理ポケット空間７６１を形成している。仕切り板の側面７６２１には複数の湯切り口７６３が設けられている（図５５（Ｄ））。
橋梁部７８は、嵌合部７１１と嵌合部７１２をつなぐ橋梁部分であり、容器本体２０ｑに対して取り付け体７０ｑを対角線上に取り付けて支える役割をしている。
取り付け体７０ｑを容器本体２０ｑに取り付けた例や、蓋とのシール範囲、調理の手順は、実施例１、実施例５、実施例７、実施例１４、実施例１５などと同様に考えることができ、ここでの説明は省略する。
【実施例１７】
【００８６】
本発明の実施例１７にかかる容器入り即席食品製品を示す。
実施例１７の即席食品製品は、実施例１４と同様、取り付け体が橋梁状をしている例であり、取り付け体に、湯切りポケット７３０、袋体ポケット７５０、具材調理ポケット７６０を設けた例である。
以下の説明は角形タイプの容器に適用した例として説明するが円形タイプの容器でも適用できることは言うまでもない。
実施例１７の容器本体２０ｒは実施例１４に示した図４６と同様で良い。
また、実施例１７の蓋開封前の即席食品製品１００ｒの平面図の例および側面図の例は図１と同様で良く、蓋１０の構成も実施例１と同様で良く、その図示を省略する。
【００８７】
図５６は取り付け体７０ｒの構成例を示す図であり、図５６（Ａ）が取り付け体７０ｒの平面図、図５６（Ｂ）がＡＧ−ＡＧ線に沿った断面図である。
取り付け体７０ｒは、嵌合部７１１と湯切りポケットの仕切り板７３２、嵌合部７１２と袋体ポケットの仕切り板７５２、具材調理ポケットの仕切り板７６２、橋梁部７８を備えている。それぞれの上面は同じ高さであることが好ましい。
嵌合部７１１は容器本体２０ｒの支持形状２４１と合致する部分であり、仕切り板７３２とともに湯切りポケット空間７３１を形成している。仕切り板の側面７３２１には複数の湯切り口７３３が設けられている。
嵌合部７１２は容器本体２０ｒの支持形状２４２と合致する部分であり、仕切り板７５２とともに袋体ポケット空間７５１を形成している。
具材調理ポケットの仕切り板７６２は具材調理ポケット空間７６１を形成している。
橋梁部７８は、嵌合部７１１と嵌合部７１２をつなぐ橋梁部分であり、容器本体２０ｒに対して取り付け体７０ｒを対角線上に取り付けて支える役割をしている。
取り付け体７０ｒを容器本体２０ｒに取り付けた例や、蓋とのシール範囲、調理の手順は、実施例１、実施例５、実施例７、実施例１４、実施例１５などと同様に考えることができ、ここでの説明は省略する。
【実施例１８】
【００８８】
本発明の実施例１８にかかる容器入り即席食品製品を示す。
実施例１８の即席食品製品は、容器本体の支持形状への取り付け体の取り付けがフック方式の例である。支持形状がフック受容形状をしており、取り付け体がフック受容形状に引っ掛けることができるフック体となっている。容器本体が角形タイプであっても、円形タイプであっても適用することができる。また、取り付け体が角形タイプ容器の外周を囲む枠形状、円形タイプの外周を囲むリング形状、容器本体に橋渡しする橋梁形状であっても適用することができる。
ここでは、フック受容形状とフック体に関する部分を取り出して説明することとし、他の部分の図示を省略する。
【００８９】
図５７（Ａ）は実施例１７の容器本体２０ｓを示す平面図である。容器本体２０ｓの内壁にはフック受容形状である支持形状２７が設けられている。図５７（Ｂ）はＡＨ−ＡＨ線に沿った断面図である。
図５８は実施例１７の取り付け体７０ｓを示す図である。取り付け体７０ｓはフック７９１が設けられたフック体となっており、フック７９１はフック受容形状２７に引っ掛けることができる形状となっている。
図５９は、容器本体２０ｓに取り付け体７０ｓを取り付けた様子を示す図である。容器本体２０ｓのフック受容体２７に取り付け体７０ｓのフック７９１を引っ掛けて取り付け体７０ｓを取り付けている。
実施例１７の即席食品製品の他の構造、調理の手順は、実施例９の即席食品製品などと同様で良く、ここでの説明は省略する。
【実施例１９】
【００９０】
実施例１９は、即席食品製品の容器内に収納されている即席食品の形状を工夫したものである。
即席食品は容器本体２０内に収めれば良い。
乾燥麺など大きいものについて、本発明の湯切りポケット、袋体ポケット、具材調理ポケットなどが容器本体内に設けられている場合、それらポケット類と衝突しない大きさとする必要がある。
特に、具材調理ポケット６０を蓋の内面に形成した実施例８の即席食品製品の容器の場合、具材調理ポケット６０ｇが存在するので、乾燥麺の形状を工夫することができる。図５９は、本発明の実施例８の即席食品製品の容器に収納される円形タイプの乾燥麺の形状の例を示す図である。図６０（Ａ）が上面図、図６０（Ｂ）が斜視図である。図６０（Ｃ）が実施例８の即席食品製品の容器内に即席食品を収納した様子を示す断面図である。
図５９に示すように、乾燥麺２００はその一部にかやく具材収納部の形状に適する凹部２１０を持っている。図６０（Ｃ）に示すように、開封前の初期状態において、当該凹部２１０に具材調理ポケット６０ｇの少なくとも一部が挿入される形で収納することができる形状となっている。
上記構成とすれば、蓋１０の裏に具材調理ポケット６０ｇを設けた構造としても、容器全体の高さを小さく保つことができ、容器全体の高さが大きくなってかさ張るということはない。
【００９１】
上記各実施例において示した湯切り口の例は円形の孔であったが、湯切り口は円形の孔に限定されない。例えば、楕円、四角形や六角形などの多角形、ハート型などの自由形、スリット状、メッシュ状など多様な形状が可能である。
【産業上の利用可能性】
【００９２】
本発明の容器入り即席食品製品は、湯切りポケットに関しては、即席やきそば、即席スパゲティ、即席ビーフンなど湯切りを行なう即席麺類、また、湯切りを行なうタイプの高級即席ラーメンの即席食品製品に適用できる。さらに、即席ワンタンや即席ぎょうざなど湯戻しが必要となる中華食品であっても適用できる。袋体ポケットに関しては、湯切りの要、不要にかかわらず、各種即席食品製品に広く適用できる。具材調理ポケットに関しては、具材の湯戻しが必要なタイプの即席食品製品に広く適用できる。
【図面の簡単な説明】
【００９３】
【図１】実施例１の蓋開封前の即席食品製品１００を示す図
【図２】実施例１の容器本体２０を示す図
【図３】第２の蓋部分１４が第１の蓋部分１３から剥離し易い工夫を説明する図
【図４】実施例１の即席食品製品の湯戻し調理の手順を示す図
【図５】実施例１の即席食品製品の湯切り調理の手順を示す図
【図６】実施例２の容器本体２０ａを示す図
【図７】実施例２の即席食品製品の湯切り調理の手順を示す図
【図８】実施例３の容器本体２０ｂを示す図
【図９】実施例３の容器本体２０ｂの上面において接着剤を塗布する範囲を示す図
【図１０】実施例３の即席食品製品の湯切り調理の手順を示す図
【図１１】実施例４の容器本体２０ｃを示す図
【図１２】実施例４の即席食品製品の湯切り調理の手順を示す図
【図１３】実施例５の蓋開封前の即席食品製品１００ｄを示す図
【図１４】実施例５の容器本体２０ｄを示す図
【図１５】実施例５の即席食品製品の袋体取り出しの手順を示す図
【図１６】実施例６の蓋１０ｅの裏面を示す図
【図１７】実施例６の即席食品製品の袋体取り出しの手順を示す図
【図１８】実施例７の容器本体２０ｆを示す図
【図１９】実施例７の即席食品製品の湯戻し調理の手順を示す図
【図２０】実施例７の即席食品製品の湯切り調理の手順を示す図
【図２１】湯切り後に具材をトッピングする様子を示す図
【図２２】実施例８の蓋１０ｇの裏面、容器２０ｇの断面を示す図
【図２３】実施例８の即席食品製品の湯切り調理の手順を示す図
【図２４】湯切り後に具材をトッピングする様子を示す図
【図２５】実施例９の容器本体２０ｈを示す図
【図２６】実施例９の取り付け体７０ｈを示す図
【図２７】実施例９の取り付け体７０ｈを容器本体２０ｈに取り付けた様子を示す図
【図２８】実施例９の即席食品製品の湯戻し調理の手順を示す図
【図２９】実施例９の即席食品製品の湯切り調理の手順を示す図
【図３０】湯切り後に取り付け体７０ｈを取り外す様子を示す図
【図３１】実施例１０の取り付け体７０ｉを示す図
【図３２】実施例１０の取り付け体７０ｉを容器本体２０ｉに取り付けた様子を示す図
【図３３】実施例１０の即席食品製品の湯戻し調理の手順を示す図
【図３４】実施例１０の即席食品製品の湯切り調理の手順を示す図
【図３５】湯切り後に取り付け体７０ｉを取り外す様子を示す図
【図３６】実施例１１の容器本体２０ｊの構成を示す図
【図３７】実施例１１の取り付け体７０ｊを示す図
【図３８】実施例１１の取り付け体７０ｊを容器本体２０ｊに取り付けた様子を示す図
【図３９】実施例１２の取り付け体７０ｋを示す図
【図４０】実施例１２の即席食品製品の湯戻し調理の手順を示す図
【図４１】実施例１３の容器本体２０ｍを示す図
【図４２】実施例１３の取り付け体７０ｍおよび取り付け体７０ｍを容器本体２０ｍに取り付けた様子を示す図
【図４３】実施例１３の即席食品製品の湯戻し調理の手順を示す図
【図４４】実施例１３の即席食品製品の湯切り調理の手順を示す図
【図４５】湯切り後に取り付け体７０ｍを取り外す様子を示す図
【図４６】実施例１４の容器本体２０ｎを示す図
【図４７】実施例１４の取り付け体７０ｎを示す図
【図４８】実施例１４の取り付け体７０ｎを容器本体２０ｎに取り付けた様子を示す図
【図４９】実施例１４の即席食品製品の湯戻し調理の手順を示す図
【図５０】実施例１４の即席食品製品の湯切り調理の手順を示す図
【図５１】湯切り後に取り付け体７０ｎを取り外す様子を示す図
【図５２】実施例１５の容器本体２０ｐを示す図
【図５３】実施例１５の取り付け体７０ｐを示す図
【図５４】実施例１５の取り付け体７０ｐを容器本体２０ｐに取り付けた様子を示す図
【図５５】実施例１６の取り付け体７０ｑを示す図
【図５６】実施例１７の取り付け体７０ｒを示す図
【図５７】実施例１８の容器本体２０ｓを示す図
【図５８】実施例１８の取り付け体７０ｓを示す図
【図５９】実施例１８の取り付け体７０ｓを容器本体２０ｓに取り付けた様子を示す図
【図６０】本発明の即席食品製品内の円形タイプの乾燥麺２００の形状の例を示す図
【符号の説明】
【００９４】
１０  蓋
１１  開封用つまみ
１２  排湯口開口用つまみ
１３  第１の蓋部分
１４  第２の蓋部分
１５  切れ目
１６  接着剤
１７  離型材
１８  開口蓋
２０  容器本体
２１  フランジ部分
２２  側壁
２３  容器本体空間
２４  支持形状
３０  湯切りポケット
３１  湯切りポケット空間
３２  仕切り板
３３  湯切り口
３５  中仕切り板
３６  湯切り口
４０  湯切り板
４１  湯切り口
５０  袋体ポケット
５１  袋体ポケット空間
６０  具材調理ポケット
６１  具材調理ポケット空間
７０  取り付け体
７１  嵌合部
７２  指かけフック
７３０  湯切りポケット
７４０  湯切り板
７５０  袋体ポケット
７６０  具材調理ポケット
７７  開口部
７８  橋梁部
７９  ギザ
１００  即席食品製品
【図１】
0004608883.tif 000002
【図２】
0004608883.tif 000003
【図３】
0004608883.tif 000004
【図４】
0004608883.tif 000005
【図５】
0004608883.tif 000006
【図６】
0004608883.tif 000007
【図７】
0004608883.tif 000008
【図８】
0004608883.tif 000009
【図９】
0004608883.tif 000010
【図１０】
0004608883.tif 000011
【図１１】
0004608883.tif 000012
【図１２】
0004608883.tif 000013
【図１３】
0004608883.tif 000014
【図１４】
0004608883.tif 000015
【図１５】
0004608883.tif 000016
【図１６】
0004608883.tif 000017
【図１７】
0004608883.tif 000018
【図１８】
0004608883.tif 000019
【図１９】
0004608883.tif 000020
【図２０】
0004608883.tif 000021
【図２１】
0004608883.tif 000022
【図２２】
0004608883.tif 000023
【図２３】
0004608883.tif 000024
【図２４】
0004608883.tif 000025
【図２５】
0004608883.tif 000026
【図２６】
0004608883.tif 000027
【図２７】
0004608883.tif 000028
【図２８】
0004608883.tif 000029
【図２９】
0004608883.tif 000030
【図３０】
0004608883.tif 000031
【図３１】
0004608883.tif 000032
【図３２】
0004608883.tif 000033
【図３３】
0004608883.tif 000034
【図３４】
0004608883.tif 000035
【図３５】
0004608883.tif 000036
【図３６】
0004608883.tif 000037
【図３７】
0004608883.tif 000038
【図３８】
0004608883.tif 000039
【図３９】
0004608883.tif 000040
【図４０】
0004608883.tif 000041
【図４１】
0004608883.tif 000042
【図４２】
0004608883.tif 000043
【図４３】
0004608883.tif 000044
【図４４】
0004608883.tif 000045
【図４５】
0004608883.tif 000046
【図４６】
0004608883.tif 000047
【図４７】
0004608883.tif 000048
【図４８】
0004608883.tif 000049
【図４９】
0004608883.tif 000050
【図５０】
0004608883.tif 000051
【図５１】
0004608883.tif 000052
【図５２】
0004608883.tif 000053
【図５３】
0004608883.tif 000054
【図５４】
0004608883.tif 000055
【図５５】
0004608883.tif 000056
【図５６】
0004608883.tif 000057
【図５７】
0004608883.tif 000058
【図５８】
0004608883.tif 000059
【図５９】
0004608883.tif 000060
【図６０】
0004608883.tif 000061